(57)【要約】【課題】投票締切間際における投票者の利便性を一層向上させる。【解決手段】公営競技の投票券を発券する投票券発券装置は、投票カードから投票内容を読み取る読取部と、投票内容を記憶する記憶部と、投票内容に基づいて投票券の発券を行う発券部と、所定の判定結果に応じて投票券の発券に係る動作を変更する変更部とを含む。【選択図】図１
2014048796.tif 000002
【特許請求の範囲】
【請求項１】
公営競技の投票券を発券する投票券発券装置であって、
投票カードから投票内容を読み取る読取部と、
前記投票内容を記憶する記憶部と、
前記投票内容に基づいて投票券の発券を行う発券部と、
所定の判定結果に応じて前記投票券の発券に係る動作を変更する変更部と、
を備えることを特徴とする投票券発券装置。
【請求項２】
投票締切までの残時間を取得する残時間取得部、
を更に備え、
前記変更部は、
前記投票内容に対応するレースの投票締切までの残時間が所定時間以上であるか否かを判定する残時間判定部と、
前記投票内容に基づいて前記投票カードの誤記入の有無を判定する誤記入判定部と、
前記投票内容に基づいて前記投票カードの誤記入数が所定数以上であるか否かを判定する誤記入数判定部と、
を含む、
ことを特徴とする請求項１記載の投票券発券装置。
【請求項３】
前記投票内容を修正する修正部、
を更に備え、
前記変更部は、
前記投票内容に対応するレースの投票締切までの残時間が所定時間以上であると前記残時間判定部が判定し、且つ、前記投票カードの誤記入有りと前記誤記入判定部が判定し、且つ、前記投票カードの誤記入数が所定数以上であると前記誤記入数判定部が判定した場合には、前記修正部による前記投票内容の修正を禁止して前記投票カードを返却する第１の動作を行い、
前記投票内容に対応するレースの投票締切までの残時間が所定時間以上であると前記残時間判定部が判定し、且つ、前記投票カードの誤記入有りと前記誤記入判定部が判定し、且つ、前記投票カードの誤記入数が所定数以上でないと前記誤記入数判定部が判定した場合には、前記修正部による前記投票内容の修正を許可する第２の動作を行い、
前記投票内容に対応するレースの投票締切までの残時間が所定時間以上でないと前記残時間判定部が判定し、且つ、前記投票カードの誤記入有りと前記誤記入判定部が判定した場合には、前記修正部による前記投票内容の修正を許可する第３の動作を行う、
ように前記投票券の発券に係る動作を変更する、
ことを特徴とする請求項２記載の投票券発券装置。
【請求項４】
投入口に投入された投票カードが複数であるか否かを検出する検出部を更に備える、
ことを特徴とする請求項２記載の投票券発券装置。
【請求項５】
投入口に一括投入された投票カードの枚数が所定枚数以上であるか否かを検出する検出部を更に備える、
ことを特徴とする請求項２記載の投票券発券装置。
【請求項６】
投票見送り指示を入力する入力部を更に備える、
ことを特徴とする請求項２記載の投票券発券装置。
【請求項７】
前記変更部は、
前記投票内容に対応するレースの投票締切までの残時間が所定時間以上であると前記残時間判定部が判定し、且つ、前記投票カードの誤記入有りと前記誤記入判定部が判定し、且つ、前記入力部により投票見送り指示が入力された場合には、前記投票カードを返却する動作を行う、
ように前記投票券の発券に係る動作を変更する、
ことを特徴とする請求項６記載の投票券発券装置。
【請求項８】
投票内容を入力する入力部と、
投票締切までの残時間を取得する残時間取得部と、
を更に備え、
前記変更部は、
投票締切までの残時間が最も短いレースの投票締切までの残時間が所定時間以上であるか否かを判定する最短残時間判定部を含む、
ことを特徴とする請求項１記載の投票券発券装置。
【請求項９】
前記変更部は、
前記投票締切までの残時間が最も短いレースの投票締切までの残時間が所定時間以上であると前記最短残時間判定部が判定した場合に、前記入力部による投票内容の入力を許可する動作を行い、
前記レースの投票締切までの残時間が所定時間以上でないと前記最短残時間判定部が判定した場合に、前記入力部による投票内容の入力を禁止する動作を行う、
ように前記投票券の発券に係る動作を変更する、
ことを特徴とする請求項８記載の投票券発券装置。
【請求項１０】
投票券の発売状況情報を取得する発売状況情報取得部、
を更に備え、
前記変更部は、
投入口に投票カードが投入された時点において前記発売状況情報取得部により取得されている発売状況情報から、前記投票カードの投票内容に対応する投票券が発売中であるか否かを判定する発売中判定部と、
前記時点の後に前記発売状況情報取得部により取得された発売状況情報から、前記投票カードの投票内容に対応する投票券が発売停止になったか否かを判定する発売停止判定部と、
前記時点の後に前記発売状況情報取得部により取得された発売状況情報から、前記投票カードの投票内容に対応する投票券が減算停止になったか否かを判定する減算停止判定部と、
を含む、
ことを特徴とする請求項１記載の投票券発券装置。
【請求項１１】
上位装置との間で電文の送受信を行う電文送受信部、
を更に備え、
前記変更部は、
前記時点において前記投票カードの投票内容に対応する投票券が発売中であると前記発売中判定部が判定し、且つ、前記時点の後に前記投票カードの投票内容に対応する投票券が発売停止になったと前記発売停止判定部が判定し、且つ、前記時点の後に前記投票カードの投票内容に対応する投票券が減算停止になっていないと前記減算停止判定部が判定した場合に、救済用投票電文が前記電文送受信部により送信され、前記救済用投票電文の応答としての発券許可電文が前記電文送受信部により受信されると、前記投票カードの投票内容の投票券の発券を許可する動作を行う、
ように投票券の発券に係る動作を変更する、
ことを特徴とする請求項１０記載の投票券発券装置。
【請求項１２】
公営競技の投票カードから読み取った投票内容に基づいて投票券の発券を行う投票券発券装置に含まれるコンピュータは、
所定の判定結果に応じて前記投票券の発券に係る動作を変更する、
処理を実行することを特徴とする投票券発券方法。
【発明の詳細な説明】
【技術分野】
【０００１】
本発明は、投票カードを受け付けて投票券を発券する装置及び方法に関する。
【背景技術】
【０００２】
従来、競馬、競輪、競艇、オートレース等の公営競技では、投票券の発売が、例えば投票券発券装置（自動発売機とも言う）を介して行われている。また、投票券の発売及び払戻が、例えば投票券発払装置（自動発払機とも言う）を介して行われている。なお、以下では、これらの装置を総称して投票券発券装置と言う。
【０００３】
投票券発券装置は、例えば、投票者により所望の投票内容が記入された投票カードと現金とを受け付けると、その投票内容に応じて投票券の発券を行う。
このような投票券発券装置に関する技術としては、次のような技術が知られている。
【０００４】
例えば、マークシート方式の投票カードを用いて投票券を発行する投票券発売機において、投票カードの金額指定欄の単位金額に複数のマークがなされている場合であっても、可能な限りこれを救済し、発券効率を向上させるようにした技術が知られている（例えば特許文献１参照）。
【０００５】
また、例えば、公営競技の投票システムにおいて、競技場内／外の投票端末、或いは利用者宅内の電話投票端末等の投票端末から投票を行う際に、レース毎の投票締切時刻に対応させて投票端末の表示画面の画面色を変化させるようにした技術が知られている（例えば特許文献２参照）。
【０００６】
また、例えば、投票券発券装置において、投入口に一括投入された複数の投票カードから投票内容を読み取り、投票内容を投票カード毎に記憶し、投票内容に対応する投票締切時間にもとづいて投票カード毎の投票券の発券処理順序を設定し、その発券処理順序に従い投票券の発券を行う技術が知られている（例えば特許文献３参照）。
【先行技術文献】
【特許文献】
【０００７】
【特許文献１】特開平０６−２４３３２０号公報
【特許文献２】特開２００５−２２８２１５号公報
【特許文献３】特開２０１１−５３７８２号公報
【発明の概要】
【発明が解決しようとする課題】
【０００８】
従来、公営競技の投票者においては、投票締切時刻が近づくと、その時点のオッズを参考に投票内容を決定し投票券の駆け込み購入を行う者が多かった。そのため、投票締切時刻が近づくと、投票券発券装置の利用者が多くなり、場合によっては投票券締切時刻以前に投票券の購入を行えない者もいた。
【０００９】
これに対し、従来の投票券発券装置では、上述のような、投票締切時刻に対応させて表示画面の画面色を変化させることや、投票締切時間に基づいて設定した発券処理順序に従って投票券の発券を行うことが行われており、例えば投票券購入機会の喪失可能性の低減等が図られ、投票締切間際における投票者（利用者）の利便性が向上したと言える。今日では、このような投票締切間際における投票者の利便性の更なる向上が望まれている。
【００１０】
本発明は、上記実情に鑑み、投票締切間際における投票者の利便性を一層向上させる投票券発券装置及び投票券発券方法を提供することを目的とする。
【課題を解決するための手段】
【００１１】
装置の一観点によれば、公営競技の投票券を発券する投票券発券装置であって、投票カードから投票内容を読み取る読取部と、前記投票内容を記憶する記憶部と、前記投票内容に基づいて投票券の発券を行う発券部と、所定の判定結果に応じて前記投票券の発券に係る動作を変更する変更部と、を備える。
【００１２】
方法の一観点によれば、公営競技の投票カードから読み取った投票内容に基づいて投票券の発券を行う投票券発券装置に含まれるコンピュータは、所定の判定結果に応じて前記投票券の発券に係る動作を変更する、処理を実行する。
【発明の効果】
【００１３】
開示の装置及び方法は、投票締切間際における投票者の利便性を一層向上させることができる、という効果を奏する。
【図面の簡単な説明】
【００１４】
【図１】第１の実施形態に係る投票券発券装置のブロック図である。
【図２】第２の実施形態に係る、より具体的な投票券発券装置を含むトータリゼータシステムの一例を示す図である。
【図３】投票券発券装置のハードウェア構成例を示す図である。
【図４】投票カード読取ユニットの構成例を示す図である。
【図５】管理装置のハードウェア構成例を示す図である。
【図６】投票券発券装置と管理装置の動作の一例を示すフローチャートである。
【図７】投票券発券装置による投票券発券処理（Ｓ１３）の一例を示すフローチャートである。
【図８Ａ】第３の実施形態に係る、投票券発券装置による投票券発券処理（図６のＳ１３）の他の一例を示すフローチャートである。
【図８Ｂ】第３の実施形態に係る、投票券発券装置による投票券発券処理（図６のＳ１３）の他の一例を示すフローチャートである。
【図９Ａ】第４の実施形態に係る、投票券発券装置による投票券発券処理（図６のＳ１３）の更なる他の一例を示すフローチャートである。
【図９Ｂ】第４の実施形態に係る、投票券発券装置による投票券発券処理（図６のＳ１３）の更なる他の一例を示すフローチャートである。
【図１０】第５の実施形態に係る、投票券発券装置による修正処理（図７のＳ３９、図８のＳ６３、又は図９のＳ９３）の一例を示すフローチャートである。
【図１１Ａ】第５の実施形態に係る、修正処理中にディスプレイに表示される表示画面例１である。
【図１１Ｂ】第５の実施形態に係る、修正処理中にディスプレイに表示される表示画面例２である。
【図１１Ｃ】第５の実施形態に係る、修正処理中にディスプレイに表示される表示画面例３である。
【図１２】第６の実施形態に係る、投票券発券装置による修正処理（図７のＳ３９、図８のＳ６３、又は図９のＳ９３）の他の一例を示すフローチャートである。
【図１３】第７の実施形態に係る、投票券発券装置による投票券発券処理（図６のＳ１３）の更なる他の一例を示すフローチャートである。
【図１４】第７の実施形態に係る、投票券発券処理中にディスプレイに表示される表示画面例である。
【図１５Ａ】第８の実施形態に係る、投票券発券装置による投票券発券処理（図６のＳ１３参照）の更なる他の一例を示すフローチャートである。
【図１５Ｂ】第８の実施形態に係る、投票券発券装置による投票券発券処理（図６のＳ１３参照）の更なる他の一例を示すフローチャートである。
【図１６Ａ】第９の実施形態に係る、投票券発券装置による投票券発券処理（図６のＳ１３参照）の更なる他の一例を示すフローチャートである。
【図１６Ｂ】第９の実施形態に係る、投票券発券装置による投票券発券処理（図６のＳ１３参照）の更なる他の一例を示すフローチャートである。
【図１７Ａ】第９の実施形態に係る、発売状況テーブル（投票カード投入時の投票券の発売状況）の一例を示す図である。
【図１７Ｂ】第９の実施形態に係る、発売状況テーブルに含まれる「発売状況」の種類の一例を示す図である。
【図１８】第９の実施形態に係る、投票電文又は救済用投票電文を受信した管理装置が発券を許可するか否かを判定する際の基準となる条件の一例を示す図である。
【発明を実施するための形態】
【００１５】
以下、図面を参照しながら実施の形態を説明する。
なお、以下の説明では、実施の形態に係る投票券発券装置を、競馬の投票券を発券する装置とするが、他の公営競技（例えば競輪、競艇、オートレース等）の投票券を発券する装置としてもよい。また、実施の形態に係る投票券発券装置は、競馬場内に配置されるものとするが、競馬場外（例えば場外馬券売り場）に配置されてもよい。
【００１６】
＜第１の実施形態＞
図１は、第１の実施形態に係る投票券発券装置のブロック図である。
投票券発券装置１００は、例えば、投票者（利用者）により所望の投票内容が記入された投票カードと現金とを受け付けると、その投票内容に応じて投票券の発券を行う。なお、投票カードは、マークシート方式の投票カードとするが、他の記入方式（例えば記述方式）の投票カードとしてもよい。
【００１７】
投票券発券装置１００は、読取部１、入力部２、記憶部３、修正部４、発券部５、所定枚数投票カード検出部６、複数投票カード検出部７、電文送受信部８、残時間取得部９、オッズ情報取得部１０、表示部１１、発売状況情報取得部１２、変更部１３を含む。
【００１８】
読取部１は、投票カードから投票内容を読み取る。読取部１は、例えば、イメージセンサにより投票カードのイメージデータを取得し、そのイメージ上のマークの有無を判定することにより投票内容を読み取る。なお、投票カードが例えば記述方式の投票カードである場合には、読取部１が、例えば、イメージセンサにより投票カードのイメージデータを取得し、文字認識部により、そのイメージから文字を認識することにより、投票内容を読み取るようにしてもよい。
【００１９】
入力部２は、投票者の操作に応じて各種の入力を行う。例えば、入力部２は、投票者の操作に応じて投票見送り指示を入力する。また、入力部２は、投票者の操作に応じて投票内容を入力する。入力部２を介して投票内容の入力が行われる場合、投票者は投票カードを用いずに投票を行うことができる。
【００２０】
記憶部３は、投票内容等を記憶する。記憶部３は、例えば、読取部１により読み取られた投票内容を記憶する。また、記憶部３は、例えば、入力部２により入力された投票内容を記憶する。また、記憶部３は、例えば、修正部４により修正された投票内容を記憶する。
【００２１】
修正部４は、記憶部３に記憶された投票内容を投票者の操作に応じて修正する。修正部４は、例えば、投票者が投票券発券装置１００の投票カード投入口に誤記入を含む投票カードを投入したことにより投票内容の修正が必要になった際に使用される。なお、投票カードにおける誤記入とは、例えば、マークの記入不備（マークが薄い、マークの位置不良（はみだし）、マークが小さい等）や、一つのマークが記入されるべきところに複数のマークが記入された場合等を含む。
【００２２】
発券部５は、記憶部３に記憶された投票内容に基づいて投票券の発券を行う。
所定枚数投票カード検出部６は、投票カード投入口に一括投入された投票カードの枚数が所定枚数以上であるか否かを検出する。
【００２３】
複数投票カード検出部７は、投票カード投入口に投入された投票カードが複数であるか否かを検出する。
電文送受信部８は、上位装置との間で電文の送受信を行う。電文送受信部８は、例えば、ネットワークを介して上位装置である管理装置（ホストコンピュータ）との間で電文の送受信を行う。
【００２４】
残時間取得部９は、投票締切までの残時間を取得する。残時間取得部９は、例えば、開催される各レースの投票締切までの残時間を取得する。また、残時間取得部９は、例えば、記憶部３に記憶された投票内容に対応するレースの投票締切までの残時間を取得する。
【００２５】
オッズ情報取得部１０は、上位装置からオッズ情報を取得する。オッズ情報取得部１０は、例えば、ネットワークを介して上位装置である管理装置からオッズ情報を取得する。
表示部１１は、各種の表示を行う。表示部１１は、例えば、記憶部３に記憶された修正が必要になった投票内容を表示する。また、表示部１１は、例えば、オッズ情報取得部１０により取得されたオッズ情報に基づいてオッズを表示する。
【００２６】
発売状況情報取得部１２は、各レースの投票券の発売状況情報を上位装置から取得する。発売状況情報取得部１２は、例えば、ネットワークを介して上位装置である管理装置から発売状況情報を取得する。
【００２７】
変更部１３は、所定の判定結果に応じて投票券の発券に係る動作を変更する。変更部１３は、誤記入判定部１４、誤記入数判定部１５、残時間判定部１６、最短残時間判定部１７、発売中判定部１８、発売停止判定部１９、減算停止判定部２０を含む。
【００２８】
誤記入判定部１４は、記憶部３に記憶された投票内容に基づいて投票カードの誤記入の有無を判定する。
誤記入数判定部１５は、記憶部３に記憶された投票内容に基づいて投票カードの誤記入数が所定数以上であるか否かを判定する。
【００２９】
残時間判定部１６は、記憶部３に記憶された投票内容に対応するレースの投票締切までの残時間が所定時間以上であるか否かを判定する。
最短残時間判定部１７は、投票締切までの残時間が最も短いレースの投票締切までの残時間が所定時間以上であるか否かを判定する。
【００３０】
発売中判定部１８は、投票カード投入口に投票カードが投入された時点において発売状況情報取得部１２により取得されている発売状況情報から、投票カードの投票内容に対応する投票券が発売中であるか否かを判定する。
【００３１】
発売停止判定部１９は、投票カード投入口に投票カードが投入された時点の後に発売状況情報取得部１２により取得された発売状況情報から、投票カードの投票内容に対応する投票券が発売停止になったか否かを判定する。
【００３２】
減算停止判定部２０は、投票カード投入口に投票カードが投入された時点の後に発売状況情報取得部１２により取得された発売状況情報から、投票カードの投票内容に対応する投票券が減算停止になったか否かを判定する。
【００３３】
このような構成の投票券発券装置１００では、次のような動作が行われる。
（１）例えば、変更部１３は、記憶部３に記憶された投票内容に対応するレースの投票締切までの残時間が所定時間以上であると残時間判定部１６が判定し、且つ、その投票内容の投票カードの誤記入有りと誤記入判定部１４が判定し、且つ、その投票カードの誤記入数が所定数以上であると誤記入数判定部１５が判定した場合に、修正部４によるその投票内容の修正を禁止し、その投票カードを返却する第１の動作を行うように、投票券の発券に係る動作を変更する。
【００３４】
これにより、投票カードの投票内容に対応するレースの投票締切までの残時間が所定時間以上であり、且つ、投票カードの誤記入数が所定数以上の場合、投票者は、投票内容の修正が禁止される。よって、後続の投票者は、より速やかに投票を開始できる。
【００３５】
（２）また、例えば、変更部１３は、記憶部３に記憶された投票内容に対応するレースの投票締切までの残時間が所定時間以上であると残時間判定部１６が判定し、且つ、その投票内容の投票カードの誤記入有りと誤記入判定部１４が判定し、且つ、その投票カードの誤記入数が所定数以上でないと誤記入数判定部１５が判定した場合に、修正部４によるその投票内容の修正を許可する第２の動作を行うように、投票券の発券に係る動作を変更する。
【００３６】
これにより、投票カードの投票内容に対応するレースの投票締切までの残時間が所定時間以上であり、且つ、投票カードの誤記入有りで、且つ、その誤記入数が所定数未満の場合、投票者は、投票内容の修正が許可される。よって、投票者は、その場から離れることなく継続して投票内容を修正できる。
【００３７】
（３）また、例えば、変更部１３は、記憶部３に記憶された投票内容に対応するレースの投票締切までの残時間が所定時間以上でないと残時間判定部１６が判定し、且つ、その投票内容の投票カードの誤記入有りと誤記入判定部１４が判定した場合に、その投票カードの誤記入数が所定数以上であるか所定数未満であるかに関わらず、修正部４によるその投票内容の修正を許可する第３の動作を行うように、投票券の発券に係る動作を変更する。
【００３８】
これにより、投票カードの投票内容に対応するレースの投票締切までの残時間が所定時間未満であり、且つ、投票カードの誤記入有りの場合、投票者は、投票内容の修正が許可される。よって、投票者は、その場から離れることなく継続して投票内容を修正できる。
【００３９】
（４）また、例えば、変更部１３は、投票カード投入口に投入された投票カードが複数であると複数投票カード検出部７により検出された場合において、その複数の投票カードの各々に対し、投票カードの誤記入有りと誤記入判定部１４が判定し、且つ、その投票カードの誤記入数が所定数以上であると誤記入数判定部１５が判定した場合に、修正部４によるその投票内容の修正を禁止し、その投票カードを返却する第４の動作を行うように、投票券の発券に係る動作を変更する。
【００４０】
これにより、投票カード投入口に投入された投票カードが複数である場合、誤記入数が所定数以上の投票カードに対し、投票者は、投票内容の修正が禁止される。よって、後続の投票者は、より速やかに投票を開始できる。
【００４１】
（５）また、例えば、変更部１３は、投票カード投入口に投入された投票カードが複数であると複数投票カード検出部７により検出された場合において、その複数の投票カードの各々に対し、投票カードの誤記入有りと誤記入判定部１４が判定し、且つ、その投票カードの誤記入数が所定数以上でないと誤記入数判定部１５が判定した場合に、修正部４によるその投票内容の修正を許可する第５の動作を行うように、投票券の発券に係る動作を変更する。
【００４２】
これにより、投票カード投入口に投入された投票カードが複数である場合、誤記入有りで且つその誤記入数が所定数以上でない投票カードに対し、投票者は、投票内容の修正が許可される。よって、そのような投票カードに対し、投票者は、その場から離れることなく継続して投票内容を修正できる。
【００４３】
（６）また、例えば、変更部１３は、投票カード投入口に投入された投票カードが複数でないと複数投票カード検出部７により検出された場合において、その投入口に投入された投票カードの投票内容に対応するレースの投票締切までの残時間が所定時間以上でないと残時間判定部１６が判定し、且つ、その投票カードの誤記入有りと誤記入判定部１４が判定した場合に、その投票カードの誤記入数が所定数以上であるか所定数未満であるかに関わらず、修正部４によるその投票内容の修正を許可する第６の動作を行うように、投票券の発券に係る動作を変更する。
【００４４】
これにより、投票カード投入口に投入された投票カードが複数でない場合において、その投票カードの投票内容に対応するレースの投票締切までの残時間が所定時間未満であり、且つ、投票カードの誤記入有りの場合、投票者は、投票内容の修正が許可される。よって、投票者は、その場から離れることなく継続して投票内容を修正できる。
【００４５】
（７）また、例えば、変更部１３は、投票カード投入口に一括投入された投票カードの枚数が所定枚数以上であると所定枚数投票カード検出部６により検出された場合において、その投票カードの各々に対し、投票カードの誤記入有りと誤記入判定部１４が判定し、且つ、その投票カードの誤記入数が所定数以上であると誤記入数判定部１５が判定した場合に、修正部４によるその投票内容の修正を禁止し、その投票カードを返却する第７の動作を行うように、投票券の発券に係る動作を変更する。
【００４６】
これにより、投票カード投入口に一括投入された投票カードの枚数が所定枚数以上である場合、誤記入数が所定数以上の投票カードに対し、投票者は、投票内容の修正が禁止される。よって、後続の投票者は、より速やかに投票を開始できる。
【００４７】
（８）また、例えば、変更部１３は、投票カード投入口に一括投入された投票カードの枚数が所定枚数以上であると所定枚数投票カード検出部６により検出された場合において、その投票カードの各々に対し、投票カードの誤記入有りと誤記入判定部１４が判定し、且つ、その投票カードの誤記入数が所定数以上でないと誤記入数判定部１５が判定した場合に、修正部４によるその投票内容の修正を許可する第８の動作を行うように、投票券の発券に係る動作を変更する。
【００４８】
これにより、投票カード投入口に一括投入された投票カードの枚数が所定枚数以上である場合、誤記入有りで且つその誤記入数が所定数以上でない投票カードに対し、投票者は、投票内容の修正が許可される。よって、そのような投票カードに対し、投票者は、その場から離れることなく継続して投票内容を修正できる。
【００４９】
（９）また、例えば、変更部１３は、投票カード投入口に一括投入された投票カードの枚数が所定枚数以上でないと所定枚数投票カード検出部６により検出された場合において、その投票カードの各々に対し、投票カードの投票内容に対応するレースの投票締切までの残時間が所定時間以上でないと残時間判定部１６が判定し、且つ、その投票カードの誤記入有りと誤記入判定部１４が判定した場合に、その投票カードの誤記入数が所定数以上であるか所定数未満であるかに関わらず、修正部４によるその投票内容の修正を許可する第９の動作を行うように、投票券の発券に係る動作を変更する。
【００５０】
これにより、投票カード投入口に一括投入された投票カードの枚数が所定枚数未満である場合、投票内容に対応するレースの投票締切までの残時間が所定時間未満であり且つ誤記入が有る投票カードに対し、投票者は、投票内容の修正が許可される。よって、そのような投票カードに対し、投票者は、その場から離れることなく継続して投票内容を修正できる。
【００５１】
（１０）また、例えば、上記の第３、第６、又は第９の動作において修正部４による修正が許可されて、馬番号又は枠番号の修正が行われる場合に、表示部は、オッズ情報取得部１０により取得されたオッズ情報に基づいて馬番号又は枠番号を人気順に並べて表示する。なお、競馬以外の公営競技の場合には、馬番号の代わりに、例えば、車番号、艇番号等としてもよい。
【００５２】
これにより、投票者は、人気順に並べて表示された馬番号又は枠番号に基づいて、より速やかに、馬番号又は枠番号の修正を行うことができる。
【００５３】
（１１）また、例えば、上記の第３、第６、又は第９の動作において修正部４による修正が許可されて、馬番号又は枠番号の修正が行われた場合に、表示部は、修正後の馬番号又は枠番号のオッズをオッズ情報取得部１０により取得されたオッズ情報に基づいて表示する。なお、競馬以外の公営競技の場合には、馬番号の代わりに、例えば、車番号、艇番号等としてもよい。
【００５４】
これにより、投票者は、表示された修正後の馬番号又は枠番号のオッズに基づいて、より速やかに、馬番号又は枠番号についての修正の見直しを図ることができる。
【００５５】
（１２）また、例えば、変更部１３は、記憶部３に記憶された投票内容に対応するレースの投票締切までの残時間が所定時間以上であると残時間判定部１６が判定し、且つ、その投票内容の投票カードの誤記入有りと誤記入判定部１４が判定し、且つ、入力部２により投票見送り指示が入力された場合に、その投票カードを返却する動作を行うように、投票券の発券に係る動作を変更する。
【００５６】
これにより、投票カードの投票内容に対応するレースの投票締切までの残時間が所定時間以上であり、且つ、投票カードの誤記入有りで、且つ、投票見送り指示が入力された場合、速やかに投票カードの返却が行われる。よって、投票者は、その時点での投票を見送り、後に投票を行うことができると共に、一括して挿入していた未処理の投票カードの内、レースの投票締切までの残時間が所定時間未満である投票カードの投票をより速やかに行うことができる。また、後続の投票者は、より速やかに投票を開始できる。
【００５７】
（１３）また、例えば、変更部１３は、投票締切までの残時間が最も短いレースの投票締切までの残時間が所定時間以上であると最短残時間判定部１７が判定した場合に、入力部２による投票内容の入力を許可する動作を行うように、投票券の発券に係る動作を変更する。
【００５８】
これにより、投票締切までの残時間が最も短いレースの投票締切までの残時間が所定時間以上である場合、投票者は、入力部２による投票内容の入力が許可される。よって、投票者は、投票カードを用いずに、投票することができる。
【００５９】
（１４）また、例えば、変更部１３は、投票締切までの残時間が最も短いレースの投票締切までの残時間が所定時間以上でないと最短残時間判定部１７が判定した場合に、入力部２による投票内容の入力を禁止する動作を行うように、投票券の発券に係る動作を変更する。
【００６０】
これにより、投票締切までの残時間が最も短いレースの投票締切までの残時間が所定時間未満である場合、投票者は、入力部２による投票内容の入力が禁止される。よって、投票カードを用いた投票のみが許可されることになるため、後続の投票者は、より速やかに投票を開始できる。
【００６１】
（１５）また、例えば、変更部１３は、投票カード投入口に投票カードが投入された時点において投票カードの投票内容に対応する投票券が発売中であると発売中判定部１８が判定し、且つ、その時点の後にその投票カードの投票内容に対応する投票券が発売停止になったと発売停止判定部１９が判定し、且つ、その時点の後にその投票内容に対応する投票券が減算停止になっていないと減算停止判定部２０が判定した場合に、救済用投票電文が電文送受信部８により送信され、その救済用投票電文の応答としての発券許可電文が電文送受信部８により受信されると、その投票内容の投票券の発券を許可する動作を行う、ように投票券の発券に係る動作を変更する。
【００６２】
これにより、投票カード投入口に投票カードが投入された時点において投票カードの投票内容に対応する投票券が発売中であって、その後に、その投票内容に対応する投票券が発売停止になったが減算停止になっていない場合には、救済用投票電文が送信され、そして、その応答としての発券許可電文が受信されると、その投票カードに対する投票券の発券が許可される。よって、このような場合であっても、投票者は、その投票券の購入ができる。なお、従来では、このような場合に投票券の発券が禁止され、投票者は投票券の購入ができなかった。
【００６３】
（１６）また、例えば、変更部１３は、投票カード投入口に投票カードが投入された時点において投票カードの投票内容に対応する投票券が発売中であると発売中判定部１８が判定し、且つ、その時点の後にその投票内容に対応する投票券が発売停止になったと発売停止判定部１９が判定し、且つ、その時点の後にその投票内容に対応する投票券が減算停止になったと減算停止判定部２０が判定した場合に、その投票内容の投票券の発券を禁止して投票カードを返却する動作を行う、ように投票券の発券に係る動作を変更する。
【００６４】
これにより、投票カード投入口に投票カードが投入された時点において投票カードの投票内容に対応する投票券が発売中であって、その後に、その投票内容に対応する投票券が発売停止且つ減算停止になった場合には、投票券の発券が禁止されて投票カードが返却される。よって、このような場合には、従来通り、投票者による投票券の購入を禁止させることができる。
【００６５】
このように、本実施形態に係る投票券発券装置１００によれば、所定の判定結果に応じて投票券の発券に係る動作が変更されることにより、投票締切間際における投票者に対するサービス（投票券の発券に係るサービス）のレベルが変更され、例えば投票締切間際における投票券の購入機会損失の防止など、投票締切間際における投票者の利便性を一層向上させることができる。
【００６６】
＜第２の実施形態＞
次に、より具体的な投票券発券装置１００の構成及び動作を、第２の実施形態として説明する。
【００６７】
図２は、より具体的な投票券発券装置１００を含むトータリゼータシステムの一例を示す図である。
トータリゼータシステム１０００は、投票券の発券、オッズの表示と集計、配当金の計算、投票券の払戻等を管理するシステムである。トータリゼータシステム１０００は、投票券発券装置１００、管理装置２００、ネットワーク３００を含む。
【００６８】
投票券発券装置１００は、運用状況表示窓１０１、投票券投入口１０２、投票券排出口１０３、投票カード投入口１０４、紙幣投入排出口１０５、硬貨投入口１０６、硬貨排出口１０７、ディスプレイ１０８、タッチパネル１０９を含む。
【００６９】
運用状況表示窓１０１は、投票券発券装置１００において、投票券の発券受付中であるか発券停止中であるか、及び、投票券の払戻受付中であるか払戻停止中であるかを表示する。
【００７０】
投票券投入口１０２は、払い戻しをする投票券の投入口である。
投票券排出口１０３は、発券された投票券の排出口である。
投票カード投入排出口１０４は、投票カードの投入口であり、また、返却する投票カードの排出口でもある。
【００７１】
紙幣投入排出口１０５は、紙幣の投入口であり、また、返却する紙幣又は釣札とする紙幣の排出口でもある。
硬貨投入口１０６は、硬貨の投入口である。
【００７２】
硬貨排出口１０７は、返却する硬貨又は釣銭とする硬貨の排出口である。
ディスプレイ１０８は、タッチパネル１０９の下層に配置されており、操作案内、レース案内、投票カードの投票内容等の情報を表示する。ディスプレイ１０８は、例えば液晶ディスプレイである。
【００７３】
タッチパネル１０９は、透過型のタッチパネルであり、各種の入力や投票内容の修正等の際に操作される。ディスプレイ１０８により表示された情報は、タッチパネル１０９を透過して、投票者から視認可能である。投票者は、ディスプレイ１０８により表示された情報を見ながら、タッチパネル１０９に対するタッチ操作（例えば、情報表示切替操作、投票券購入操作、投票内容修正操作、投票内容入力操作等）を行うことができる。
【００７４】
なお、投票券発券装置１００において、投票券投入口１０２と投票券排出口１０３を一体構成としてもよい。また、硬貨投入口１０６と硬貨排出口１０７を一体構成としてもよい。また、投票カード投入排出口１０４を、投票カード投入口と投票カード排出口のように、別体構成としてもよい。また、紙幣投入排出口１０５を、紙幣投入口と紙幣排出口のように、別体構成としてもよい。
【００７５】
管理装置２００は、投票券発券装置１００とネットワーク３００を介して通信を行い、投票券発券装置１００が行う投票券の発券や投票券の払戻等を管理する。また、管理装置２００は、オッズの表示と集計、配当金の計算等を行う。
【００７６】
ネットワーク３００は、例えば、ＬＡＮ、ＷＡＮ、インターネット等のネットワーク、或いは、それらが混在するネットワークである。
【００７７】
図３は、図２に示した投票券発券装置１００のハードウェア構成例を示す図である。
投票券発券装置１００は、制御部１１１、ディスプレイ１０８、管理者用ディスプレイ１１２、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８を含む。
【００７８】
制御部１１１は、ＣＰＵ（Central Processing Unit）１２０、ＲＡＭ（Random Access Memory）１２１、ＨＤＤ（Hard Disk Drive）１２２、通信インタフェース１２３、グラフィック処理ユニット１２４、入出力インタフェース１２５を含み、各々がバス１２６を介して接続されている。なお、制御部１１１は、コンピュータの一例でもある。
【００７９】
ＣＰＵ１２０は、投票券発券装置１００の全体動作を制御する。
ＲＡＭ１２１は、ＣＰＵ１２０によって実行させるＯＳ（Operating System）のプログラムやアプリケーションプログラムの少なくとも一部を一時的に格納する。また、ＲＡＭ１２１は、ＣＰＵ１２０による処理に必要な各種データ（例えば投票内容のデータ等）を格納する。
【００８０】
ＨＤＤ１２２は、ＯＳやアプリケーションプログラムを格納する。
通信インタフェース１２３は、ネットワーク３００に接続され、例えば、管理装置２００との間でデータ（各種の情報、電文、通知等）の送受信を行う。
【００８１】
なお、ＣＰＵ１２０によって実行されるＯＳのプログラムやアプリケーションプログラムは、図示しない外部装置から、ネットワーク３００及び通信インタフェース１２３を介して、例えばＲＡＭ１２１に格納されて、ＣＰＵ１２０によって実行されてもよい。また、後述の可搬型記録媒体１１９に格納され、後述の可搬型記録媒体インタフェース及び入出力インタフェース１２５を介して、例えばＲＡＭ１２１に格納されて、ＣＰＵ１２０によって実行されてもよい。
【００８２】
グラフィック処理ユニット１２４は、ディスプレイ１０８、管理者用ディスプレイ１１２が接続されている。グラフィック処理ユニット１２４は、ＣＰＵ１２０の制御の下に、各種の情報をディスプレイ１０８、管理者用ディスプレイ１１２の画面に表示させる。なお、管理者用ディスプレイ１１２は、投票券発券装置１００の裏面側に設けられる管理者向けのディスプレイである。
【００８３】
入出力インタフェース１２５は、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８が接続されている。また、入出力インタフェース１２５は、可搬型記録媒体１１９に対する情報の書込み及び読出しが可能な可搬型記録媒体インタフェースと接続可能になっている。
【００８４】
入出力インタフェース１２５は、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、可搬型記録媒体インタフェースから送られてくる信号を、バス１２６を介してＣＰＵ１２０に送信する。また、入出力インタフェース１２５は、ＣＰＵ１２０から送られてくる制御信号を、バス１２６を介して対応するユニット（タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、又は可搬型記録媒体インタフェース）へ送信する。
【００８５】
なお、管理者用タッチパネル１１３は、投票券発券装置１００の裏面側に設けられた管理者向けのタッチパネルである。投票カード読取ユニット１１４は、投票カードから投票内容を読み取るユニットである。投票カード読取ユニット１１４の詳細は、図４を用いて後述する。紙幣還流ユニット１１５は、紙幣の受け入れ、紙幣の真贋の鑑別、紙幣の収納、紙幣の返却、釣札の排出を行う。硬貨還流ユニット１１６は、硬貨の受け入れ、硬貨の真贋の鑑別、硬貨の収納、硬貨の返却、釣銭の排出を行う。投票券印刷ユニット１１７は、投票内容を印刷して投票券を発券する。払戻投票券読取ユニット１１８は、投票券を受け入れて投票内容を読み取る。
【００８６】
なお、投票券発券装置１００において、制御部１１１は、例えば、ＦＰＧＡ（Field Programmable Gate Array）やＤＳＰ（Digital Signal Processor）等のモジュールを含む構成とすることもできる。この場合、制御部１１１は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリは、可搬型記録媒体１１９、或いは通信インタフェース１２３を介してファームウェアを書き込むことができる。このように制御部１１１は、不揮発性メモリに記憶されているファームウェアを書き換えることにより、ファームウェアの更新をすることもできる。
【００８７】
図４は、投票カード読取ユニット１１４の構成例を示す図である。
投票カード読取ユニット１１４は、投票カード投入排出口１０４、ピックアップローラ１３１、裏面用イメージセンサ１３２、カード押さえ板１３３、表面用イメージセンサ１３４、カード押さえ板１３５、カード重なり検出センサ１３６、カード一次保留部１３７、読取済カードスタッカ１３８を含む。
【００８８】
投票カード投入排出口１０４は、投票カード投入口１０４ａ、投票カード返却口１０４ｂ、カード厚み検出センサ１３９、カード有無検出センサ１４０を含む。なお、投票カード投入排出口１０４は、上述のとおり、投票カードの投入口であり、また、排出口でもあるが、内部では二段構造となっており、下段に投票カード投入口１０４ａが設けられ、上段に投票カード返却口１０４ｂが設けられている。
【００８９】
投票カード投入口１０４ａは、投票カードの投入口である。
投票カード返却口１０４ｂは、投票カードの排出口である。
【００９０】
カード厚み検出センサ１３９は、投票カード投入口１０４ａに一括投入された投票カードの厚みが所定枚数分の厚み以上であるか否かを検出することにより、その一括投入された投票カードの枚数が所定枚数以上であるか否かを検出する。
【００９１】
カード有無検出センサ１４０は、投票カード投入口１０４ａでの投票カードの有無を検出する。また、カード有無検出センサ１４０は、ピックアップローラ１３１との協同により、投票カード投入口１０４ａに投入された投票カードが複数であるか否かも検出する。例えば、ピックアップローラ１３１が投票カード投入口１０４ａに投入された投票カードを一枚、搬送路へ搬送した後に、カード有無検出センサ１４０が、投票カード投入口１０４ａでの投票カード有りを検出した場合には、投票カード投入口１０４ａに投入された投票カードが複数であると検出する。
【００９２】
ピックアップローラ１３１は、投票カード投入口１０４ａに投入された投票カードを一枚ずつ搬送路へ搬送する。
裏面用イメージセンサ１３２は、搬送中の投票カードの裏面の内容をイメージデータとして取得する。カード押さえ板１３３は、裏面用イメージセンサ１３２によるイメージデータの取得が適切に行われるように、搬送中の投票カードを押さえる。
【００９３】
表面用イメージセンサ１３４は、搬送中の投票カードの表面の内容をイメージデータとして取得する。カード押さえ板１３５は、表面用イメージセンサ１３４によるイメージデータの取得が適切に行われるように、搬送中の投票カードを押さえる。
【００９４】
なお、裏面用イメージセンサ１３２、表面用イメージセンサ１３４は、例えば、ＣＭＯＳ（Complementary Metal Oxide Semiconductor）イメージセンサ、又はＣＣＤ（Charge Coupled Device）イメージセンサである。
【００９５】
カード重なり検出センサ１３６は、搬送中の投票カードが二枚重なったものであるか否かを検出する。
カード一次保留部１３７は、裏面用イメージセンサ１３２及び表面用イメージセンサ１３４により投票内容が読み取られた投票カードを一次的に保留する。
【００９６】
読取済カードスタッカ１３８は、裏面用イメージセンサ１３２及び表面用イメージセンサ１３４により投票内容が読み取られた投票カード（但し、返却される投票カードを除く）を蓄積する。
【００９７】
このような構成を有する投票カード読取ユニット１１４では、投票カードからの投票内容の読み取りの際に、次のようにして投票カードの搬送が行われる。まず、投票カード投入口１０４ａに投票カードが投入されると、その投票カードが一枚ずつピックアップローラ１３１により搬送路へ搬送される。そして、搬送中の投票カードの裏面及び表面の内容が裏面用イメージセンサ１３２及び表面用イメージセンサ１３４により読み取られた後、カード一次保留部１３７に一次的に保留される。その後、その投票カードに対応する投票券の発券が行われる場合には、その投票カードがカード一次保留部１３７から読取済カードスタッカ１３８へ搬送され、そこに蓄積（回収）される。一方、その投票カードに対応する投票券の発券が行われない場合には、その投票カードがカード一次保留部１３７から投票カード返却口１０４ｂへ搬送され、投票者に返却される。
【００９８】
また、投票カード読取ユニット１１４では、投票カード投入口１０４ａに投票カードが投入されると、カード厚み検出センサ１３９により、所定枚数以上の投票カードが一括投入されたか否かの検出が行われる。また、カード有無検出センサ１４０により、投票カード投入口１０４ａでの投票カードの有無の検出が開始される。さらに、ピックアップローラ１３１が一枚の投票カードを搬送したところで、カード有無検出センサ１４０により、投票カード投入口１０４ａに投入された投票カードが複数であるか否かの検出が行われる。また、表面用イメージセンサ１３４からカード一次保留部１３７へ搬送される途中で、カード重なり検出センサ１３６により、搬送中の投票カードが二枚重なったものであるか否かの検出が行われる。
【００９９】
なお、図２乃至図４に示した投票券発券装置１００の一部は、次のように、図１に示した投票券発券装置１００の一部の一例である。投票カード読取ユニット１１４は、読取部１の一例である。タッチパネル１０９は、入力部２と修正部４の一例である。ＲＡＭ１２１は、記憶部３の一例である。投票券印刷ユニット１１７は、発券部５の一例である。カード厚み検出センサ１３９は、所定枚数投票カード検出部６の一例である。カード有無検出センサ１４０（及びピックアップローラ１３１）は、複数投票カード検出部７の一例である。通信インタフェース１２３は、電文送受信部８、残時間取得部９、オッズ情報取得部１０、発売状況情報取得部１２の一例である。ディスプレイ１０８は、表示部１１の一例である。ＣＰＵ１２０は、誤記入判定部１４、誤記入数判定部１５、残時間判定部１６、最短残時間判定部１７、発売中判定部１８、発売停止判定部１９、減算停止判定部２０を含む変更部１３の一例である。
【０１００】
図５は、図２に示した管理装置２００のハードウェア構成例を示す図である。
管理装置２００は、一部の構成を除いて、基本的に、投票券発券装置１００と同様の構成を有する。管理装置２００は、制御部２１１、管理者用ディスプレイ２１２、管理者用タッチパネル２１３を含む。
【０１０１】
制御部２１１は、ＣＰＵ２１５、ＲＡＭ２１６、ＨＤＤ２１７、通信インタフェース２１８、グラフィック処理ユニット２１９、入出力インタフェース２２０を含み、各々がバス２２１を介して接続されている。なお、制御部２１１は、コンピュータの一例でもある。
【０１０２】
ＣＰＵ２１５は、管理装置２００の全体動作を制御する。
ＲＡＭ２１６は、ＣＰＵ２１５によって実行させるＯＳのプログラムやアプリケーションプログラムの少なくとも一部を一時的に格納する。また、ＲＡＭ２１６は、ＣＰＵ２１５による処理に必要な各種データを格納する。
【０１０３】
ＨＤＤ２１７は、ＯＳやアプリケーションプログラムを格納する。
通信インタフェース２１８は、ネットワーク３００に接続され、例えば、投票券発券装置１００との間でデータ（各種の情報、電文、通知等）の送受信を行う。
【０１０４】
なお、ＣＰＵ２１５によって実行されるＯＳのプログラムやアプリケーションプログラムは、図示しない外部装置から、ネットワーク３００及び通信インタフェース２１８を介して、例えばＲＡＭ２１６に格納されて、ＣＰＵ２１５によって実行されてもよい。また、後述の可搬型記録媒体２１４に格納され、後述の可搬型記録媒体インタフェース及び入出力インタフェース２２０を介して、例えばＲＡＭ２１６に格納されて、ＣＰＵ２１５によって実行されてもよい。
【０１０５】
グラフィック処理ユニット２１９は、管理者用ディスプレイ２１２が接続されている。グラフィック処理ユニット２１９は、ＣＰＵ２１５の制御の下に、管理者用ディスプレイ２１２の画面に表示させる。
【０１０６】
入出力インタフェース２２０は、管理者用タッチパネル２１３が接続されている。また、入出力インタフェース２２０は、可搬型記録媒体２１４に対する情報の書込み及び読出しが可能な可搬型記録媒体インタフェースと接続可能になっている。
【０１０７】
入出力インタフェース２２０は、管理者用タッチパネル２１３、可搬型記録媒体インタフェースから送られてくる信号を、バス２２１を介してＣＰＵ２１５に送信する。また、入出力インタフェース２２０は、ＣＰＵ２１５から送られてくる制御信号を、バス２２１を介して対応するユニット（管理者用タッチパネル２１３、又は可搬型記録媒体インタフェース）へ送信する。
【０１０８】
なお、管理装置２００において、制御部２１１は、例えば、ＦＰＧＡやＤＳＰ等のモジュールを含む構成とすることもできる。この場合、制御部２１１は、不揮発性メモリ（例えば、ＥＥＰＲＯＭ、フラッシュメモリ、フラッシュメモリ型メモリカード等）を含み、モジュールのファームウェアを記憶する。不揮発性メモリは、可搬型記録媒体２１４、或いは通信インタフェース２１８を介してファームウェアを書き込むことができる。このように制御部２１１は、不揮発性メモリに記憶されているファームウェアを書き換えることにより、ファームウェアの更新をすることもできる。
【０１０９】
次に、トータリゼータシステム１０００の動作を説明する。
図６は、投票券発券装置１００と管理装置２００の動作の一例を示すフローチャートである。
【０１１０】
電源ＯＮにより起動した投票券発券装置１００は、まず、管理装置２００から運用データを取得する（Ｓ１１）。運用データは、投票券発券装置１００の起動を確認した管理装置２００により通知される（Ｓ２１）。運用データは、投票券の発売情報を含む。投票券の発売情報は、例えば、発売場（レースの開催場所（単に「場」とも言う））、発売レース、発売式別、予定投票締切時刻、発売状況等の情報を含む。なお、予定投票締切時刻は、現在時刻との比較により投票締切までの残時間を求めることが可能であることから、投票締切までの残時間に対応する。運用データを取得した投票券発券装置１００は、例えば、発券受付中及び払戻受付中である旨を運用状況表示窓１０１に表示する。
【０１１１】
続いて、投票券発券装置１００は、管理装置２００から投票券の発売状況の情報を取得する（Ｓ１２）。投票券の発売状況の情報は、管理装置２００により定期的に、または、発売停止、減算停止などのイベント発生により通知される（Ｓ２２）。なお、投票券発券装置１００は、管理装置２００により通知される投票券の発売状況の情報を随時受け付ける。投票券発券装置１００は、投票券の発売状況の情報を更新する。投票券の発売状況の情報は、発売中レース（場、レース番号を含む）、発売締切（発売停止）レース（場、レース番号を含む）、減算中レース（場、レース番号を含む）、減算締切（減算停止）レース（場、レース番号を含む）、投票数、オッズ等の情報を含む。また、管理装置２００は、予定投票締切時刻や発走数（出走取消）などレース進行に関わる情報に変更がある場合は、レース進行に関わる情報を含めて通知する。
なお、上記の運用データや投票券の発売状況の情報は、例えばＲＡＭ１２１に記憶される。
【０１１２】
続いて、投票券発券装置１００は、投票券発券処理を行う（Ｓ１３）。なお、詳細は図７を用いて後述するが、この処理では、例えば、必要な電文（例えば投票電文）が管理装置２００へ送信され、その応答に応じて対応する処理（例えば発券）等が行われる。管理装置２００は、投票券発券装置１００から電文（例えば投票電文）を受け付けると、その応答（例えば発券許可応答）を行う（Ｓ２３）。
【０１１３】
続いて、投票券発券装置１００は、管理装置２００からの運用終了通知を受け付けたか否かに応じて、投票券発券処理の運用を終了するか否かを判定する（Ｓ１４）。管理装置２００は、投票券発券装置１００による投票券発券処理の運用を終了させる場合、投票券発券装置１００へ運用終了を通知する（Ｓ２４）。
【０１１４】
Ｓ１４の判定結果がＮｏの場合、投票券発券装置１００は、投票券発券処理の運用を継続し、処理がＳ１２へ戻る。
【０１１５】
一方、Ｓ１４の判定結果がＹｅｓの場合、投票券発券装置１００は、運用終了処理を行って（Ｓ１５）、投票券発券処理の運用を終了し、本動作が終了する。なお、運用終了処理では、例えば、投票券の発券停止中及び払戻停止中である旨が運用状況表示窓１０１に表示される。
【０１１６】
図７は、上記の投票券発券装置１００による投票券発券処理（Ｓ１３）の一例を示すフローチャートである。
投票券発券装置１００は、まず、現金及び払戻投票券の受入処理を行う（Ｓ３１）。この処理では、紙幣投入排出口１０５及び硬貨投入口１０６を介して投票者から現金を受け入れ、紙幣還流ユニット１１５及び硬貨還流ユニット１１６による現金の真贋の鑑別、収納等が行われる。制御部１１１は、紙幣還流ユニット１１５及び硬貨還流ユニット１１６が受け入れた投入金額の通知を受けて投入金額を管理する。また、Ｓ３１の処理では、投票券投入口１０２を介して投票者から払戻投票券を受け入れ、払戻投票券読取ユニット１１８による投票内容の読取等も行われる。制御部１１１は、払戻投票券読取ユニット１１８が読み取った投票内容の通知を受けると、その投票内容が的中であるか否かを管理装置２００に問い合わせ、的中である場合には、対応する的中金額を投入金額に反映する。なお、投票内容が的中であるか否かの問い合わせは、例えば、投票券発券装置１００から管理装置２００へ払戻電文が送信され、その応答電文が管理装置２００から投票券発券装置１００へ送信されることによって行われる。
【０１１７】
続いて、投票券発券装置１００は、タッチパネル１０９を介して投票者から精算指示を受け付けたか否かを判定する（Ｓ３２）。
Ｓ３２の判定結果がＹｅｓの場合、投票券発券装置１００は、精算処理を行う（Ｓ３３）。この処理では、投入金額と後述のＳ４３で発券された投票券に応じて精算が行われ、投票券排出口１０３による購入投票券の排出と紙幣還流ユニット１１５による紙幣投入排出口１０５への釣札の排出及び硬貨還流ユニット１１６による硬貨排出口１０７への釣銭の排出等が行われる。Ｓ３３の後は、当該投票券発券処理が終了し、処理がリターンする。
【０１１８】
一方、Ｓ３２の判定結果がＮｏの場合、投票券発券装置１００は、投票カード投入口１０４ａに投票カードが有るか否かを判定する（Ｓ３４）。なお、この判定は、カード有無検出センサ１４０の検出結果に応じて、行われる。
【０１１９】
Ｓ３４の判定結果がＮｏの場合、処理がＳ３２へ戻る。
一方、Ｓ３４の判定結果がＹｅｓの場合、投票券発券装置１００は、ピックアップローラ１３１により投票カード投入口１０４ａから投票カードを一枚、搬送路へ搬送し、その投票内容を読み取る（Ｓ３５）。なお、投票内容の読取は、投票カード読取ユニット１１４により行われる。
【０１２０】
続いて、投票券発券装置１００は、読み取った投票内容に、誤記入箇所が有るか否か（誤記入が有るか否か）を判定する（Ｓ３６）。なお、誤記入箇所とは、既述のように、例えば、マークの記入不備（マークが薄い、マークの位置不良（はみだし）、マークが小さい等）の箇所や、一つのマークが記入されるべきところに複数のマークが記入された箇所等である。
【０１２１】
Ｓ３６の判定結果がＹｅｓの場合、投票券発券装置１００は、読み取った投票内容に対応するレースが、投票締切直近のレースであるか否かを判定する（Ｓ３７）。なお、投票締切直近のレースとは、投票締切までの残時間が所定時間（例えば３分）未満のレースである。投票締切直近のレースは、例えば、現在時刻と、運用データ及び発売状況の情報（図６のＳ１１、Ｓ１２等参照）に含まれる発売レース、予定投票締切時刻等の情報に基づいて決定することができる。但し、Ｓ３７の判定の時点において、そもそも投票締切直近のレースに該当するレースが存在しない場合もある。この場合、Ｓ３７の判定結果はＮｏとなる。
【０１２２】
Ｓ３７の判定結果がＮｏの場合、投票券発券装置１００は、誤記入数（誤記入箇所の総数）が複数であるか否かを判定する（Ｓ３８）。
Ｓ３８の判定結果がＮｏの場合、又は、上述のＳ３７の判定結果がＹｅｓの場合、投票券発券装置１００は、誤記入箇所の修正を許可し、投票内容の修正処理を行う（Ｓ３９）。この処理では、タッチパネル１０９を介して投票者による誤記入箇所の修正が行われる。
【０１２３】
続いて、投票券発券装置１００は、タッチパネル１０９を介して投票者から発券指示を受け付けたか否かを判定する（Ｓ４０）。
Ｓ４０の判定結果がＮｏの場合、処理がＳ３９へ戻る。
【０１２４】
一方、Ｓ４０の判定結果がＹｅｓの場合、又は、上述のＳ３６の判定結果がＮｏの場合、投票券発券装置１００は、修正後の投票内容に応じた投票電文、又は、投票カードから読み取られた投票内容に応じた投票電文を作成し、管理装置２００へ送信する（Ｓ４１）。なお、その投票電文を受信した管理装置２００は、その投票内容に応じた発券を許可するか否かを判定し、許可する場合には投票券発券装置１００へ発券許可応答を送信し、該当レースの発売締切や投票された馬番号の出走取消などにより発券を許可しない場合には投票券発券装置１００へ発券不許可応答を送信する。
【０１２５】
続いて、投票券発券装置１００は、管理装置２００から受信した応答が発券許可応答であるか否かを判定する（Ｓ４２）。
Ｓ４２の判定結果がＹｅｓの場合、投票券発券装置１００は、発券許可応答に対応する投票券を発券する（Ｓ４３）。なお、この処理では、投票券印刷ユニット１１７による投票券の印刷、発券が行われる。
【０１２６】
一方、Ｓ４２の判定結果がＮｏの場合、又は、Ｓ３８の判定結果がＹｅｓの場合、投票券発券装置１００は、投票カードの返却処理を行う（Ｓ４４）。この処理では、投票カード読取ユニット１１４による投票カード返却口１０４ｂへの投票カードの返却が行われる。なお、Ｓ３８の判定結果がＹｅｓの場合は、誤記入箇所の修正が禁止されて投票カードの返却が行われる。
【０１２７】
Ｓ４４の後、又は、Ｓ４３の後は、処理がＳ３２へ戻る。
このように、本実施形態に係る投票券発券装置１００によれば、投票カードの投票内容に対応するレースが投票締切直近のレースでなく、且つ、投票カードの誤記入数が複数の場合、投票者は投票内容の修正が禁止され、投票カードが返却される。よって、その修正が行われない分、後続の投票者は、より速やかに投票を開始できる。
【０１２８】
また、投票カードの投票内容に対応するレースが投票締切直近のレースでなく、且つ、投票カードの誤記入有りで、且つ、その誤記入数が複数でない場合、投票者は投票内容の修正が許可される。よって、投票者は、その場から離れることなく継続して投票内容を修正できる。
【０１２９】
また、投票カードの投票内容に対応するレースが投票締切直近のレースであり、且つ、投票カードの誤記入有りの場合、その誤記入数が複数であるか否かに関わらず、投票者は投票内容の修正が許可される。よって、投票者は、その場から離れることなく継続して投票内容を修正できる。
【０１３０】
なお、図７に示した投票券発券処理では、Ｓ３８の判定結果がＹｅｓの場合に、次のような処理を追加して行うようにしてもよい。その処理とは、複数の誤記入箇所の中に、修正が行われることで投票締切直近のレースに該当することになり得る誤記入箇所が含まれる場合には、一時的に、その誤記入箇所のみについての修正を許可する。そして、タッチパネル１０９を介して投票者により修正が行われて、修正後のレースが、投票締切直近のレースに該当した場合には、例外的に、処理がＳ３９へ進むようにしてもよい。これにより、投票者は、その場から離れることなく継続して投票内容を修正できる。なお、この場合に、修正後のレースが、投票締切直近のレースに該当しなかったときは、処理がＳ４４へ進む。
【０１３１】
また、図７に示した投票券発券処理において、Ｓ３８では、誤記入数が複数であるか否かの判定が行われているが、その判定個数（閾値）を、読み取った投票内容に対応するレースの投票締切までの残時間に応じて変更するようにしてもよい。例えば、その残時間が長いほど、２より大きな値の判定個数（例えば３以上の複数、又は、４以上の複数等）としてもよい。これにより、投票者は、投票内容に対応するレースの投票締切までの残時間に応じて、その場から離れることなく継続して投票内容を修正できる。
【０１３２】
＜第３の実施形態＞
次に、投票券発券装置１００の他の動作を、第３の実施形態として説明する。
図８（図８Ａ、図８Ｂ）は、投票券発券装置１００による投票券発券処理（図６のＳ１３参照）の他の一例を示すフローチャートである。
図８において、Ｓ５１乃至Ｓ５４は、図７のＳ３１乃至Ｓ３４と同様の処理となるため、説明を割愛する。
【０１３３】
Ｓ５４の判定結果がＹｅｓの場合、投票券発券装置１００は、投票カード投入口１０４ａに投入された投票カードが複数であるか否かを判定する（Ｓ５５）。なお、この判定は、例えば、ピックアップローラ１３１が投票カード投入口１０４ａに投入された投票カードを一枚、搬送路へ搬送した後に、カード有無検出センサ１４０が、投票カード投入口１０４ａにおける投票カードの有無を検出することにより行われる。すなわち、一枚の投票カードが搬送路へ搬送された後に、投票カード投入口１０４ａに投票カード有りが検出された場合にはＳ５５の判定結果がＹｅｓとなり、投票カード無しが検出された場合にはＳ５５の判定結果がＮｏとなる。
【０１３４】
Ｓ５５の判定結果がＹｅｓの場合、投票券発券装置１００は、フラグを１に設定する（Ｓ５６）。一方、Ｓ５５の判定結果がＮｏの場合、投票券発券装置１００は、フラグを０に設定する（Ｓ５７）。なお、フラグの値（１又は０）は、例えばＲＡＭ１２１に記憶（設定）される。
【０１３５】
続いて、投票券発券装置１００は、搬送された投票カードの投票内容を読み取る（Ｓ５８）。なお、投票内容の読取は、投票カード読取ユニット１１４により行われる。
Ｓ５８の後、続くＳ５９乃至Ｓ６８は、Ｓ６０の処理が追加された以外は、図７のＳ３６乃至Ｓ４４の処理と同様となる。すなわち、図８において、Ｓ５９の判定結果がＹｅｓの場合（読み取った投票内容に誤記入箇所が有った場合）、投票券発券装置１００はフラグが０であるか否かを判定し（Ｓ６０）、その判定結果がＹｅｓの場合にはＳ６１へ処理が進み、Ｎｏの場合にはＳ６２へ処理が進む、ということ以外は、図７のＳ３６乃至Ｓ４４の処理と同様となる。よって、その同様の処理についての説明は割愛する。
【０１３６】
また、Ｓ６７又はＳ６８の後、続くＳ６９乃至Ｓ７１は、上述のＳ５２乃至Ｓ５４と同様の処理となるため、説明を割愛する。
Ｓ７１の判定結果がＹｅｓの場合、投票券発券装置１００は、ピックアップローラ１３１により投票カード投入口１０４ａから投票カードを一枚、搬送路へ搬送し、処理がＳ５８へ戻る。
【０１３７】
このように、本実施形態に係る投票券発券装置１００によれば、投票カード投入口１０４ａに投入された投票カードが複数である場合、誤記入数が複数である投票カードに対し、投票者は、投票内容の修正が禁止される。よって、その修正が行われない分、後続の投票者は、より速やかに投票を開始できる。
【０１３８】
また、投票カード投入口１０４ａに投入された投票カードが複数である場合、誤記入有りで且つその誤記入数が複数でない投票カードに対し、投票者は、投票内容の修正が許可される。よって、そのような投票カードに対し、投票者は、その場から離れることなく継続して投票内容を修正できる。
【０１３９】
また、投票カード投入口に投入された投票カードが複数でない場合（一枚である場合）において、投票カードの投票内容に対応するレースの投票締切までの残時間が所定時間未満であり且つ投票カードの誤記入有りの場合、誤記入数が複数であるか否かに関わらず、投票者は、投票内容の修正が許可される。よって、投票者は、その場から離れることなく継続して投票内容を修正できる。
【０１４０】
なお、図８に示した投票券発券処理では、第２の実施形態と同様に、Ｓ６２の判定結果がＹｅｓの場合に、次のような処理を追加して行うようにしてもよい。その処理とは、複数の誤記入箇所の中に、修正が行われることで投票締切直近のレースに該当することになり得る誤記入箇所が含まれる場合には、一時的に、その誤記入箇所のみについての修正を許可する。そして、タッチパネル１０９を介して投票者により修正が行われて、修正後のレースが、投票締切直近のレースに該当した場合には、例外的に、処理がＳ６３へ進むようにしてもよい。これにより、投票者は、その場から離れることなく継続して投票内容を修正できる。なお、この場合に、修正後のレースが、投票締切直近のレースに該当しなかったときは、処理がＳ６８へ進む。
【０１４１】
また、図８に示した投票券発券処理において、Ｓ６２では、誤記入数が複数であるか否かの判定が行われているが、その判定個数（閾値）を、読み取った投票内容に対応するレースの投票締切までの残時間に応じて変更するようにしてもよい。例えば、その残時間が長いほど、２より大きな値の判定個数（例えば３以上の複数、又は、４以上の複数等）としてもよい。これにより、投票者は、投票内容に対応するレースの投票締切までの残時間に応じて、その場から離れることなく継続して投票内容を修正できる。
【０１４２】
＜第４の実施形態＞
次に、投票券発券装置１００の更なる他の動作を、第４の実施形態として説明する。
図９（図９Ａ、図９Ｂ）は、投票券発券装置１００による投票券発券処理（図６のＳ１３参照）の更なる他の一例を示すフローチャートである。
【０１４３】
図９に示した処理は、Ｓ８５の処理を除いて、図８に示した処理と同様となる。すなわち、図９において、Ｓ８４がＹｅｓの場合（投票カード投入口１０４ａに投票カードが有った場合）、投票券発券装置１００は、投票カード投入口１０４ａに投入された投票カードが所定枚数以上であるか否かを判定し（Ｓ８５）、その判定結果がＹｅｓの場合にはＳ８６へ処理が進み、Ｎｏの場合にはＳ８７へ処理が進む、ということ以外は、図８に示した処理と同様となる。よって、その同様の処理についての説明は割愛する。なお、Ｓ８５の判定は、カード厚み検出センサ１３９の検出結果に応じて行われる。すなわち、カード厚み検出センサ１３９の検出結果が、投票カード投入口１０４ａに一括投入された投票カードの枚数が所定枚数以上であるとの検出結果である場合にはＳ８５の判定結果がＹｅｓとなり、それが所定枚数以上でないとの検出結果である場合にはＳ８５の判定結果がＮｏとなる。
【０１４４】
このように、本実施形態に係る投票券発券装置１００によれば、投票カード投入口１０４ａに一括投入された投票カードの枚数が所定枚数以上である場合、誤記入数が複数である投票カードに対し、投票者は、投票内容の修正が禁止される。よって、その修正が行われない分、後続の投票者は、より速やかに投票を開始できる。
【０１４５】
また、投票カード投入口１０４ａに一括投入された投票カードの枚数が所定枚数以上である場合、誤記入有りで且つその誤記入数が複数でない投票カードに対し、投票者は、投票内容の修正が許可される。よって、そのような投票カードに対し、投票者は、その場から離れることなく継続して投票内容を修正できる。
【０１４６】
また、投票カード投入口１０４ａに一括投入された投票カードの枚数が所定枚数未満である場合、投票内容に対応するレースの投票締切までの残時間が所定時間未満であり且つ誤記入が有る投票カードに対し、誤記入数が複数であるか否かに関わらず、投票者は、投票内容の修正が許可される。よって、そのような投票カードに対し、投票者は、その場から離れることなく継続して投票内容を修正できる。
【０１４７】
なお、図９に示した投票券発券処理では、第２の実施形態と同様に、Ｓ９２の判定結果がＹｅｓの場合に、次のような処理を追加して行うようにしてもよい。その処理とは、複数の誤記入箇所の中に、修正が行われることで投票締切直近のレースに該当することになり得る誤記入箇所が含まれる場合には、一時的に、その誤記入箇所のみについての修正を許可する。そして、タッチパネル１０９を介して投票者により修正が行われて、修正後のレースが、投票締切直近のレースに該当した場合には、例外的に、処理がＳ９３へ進むようにしてもよい。これにより、投票者は、その場から離れることなく継続して投票内容を修正できる。なお、この場合に、修正後のレースが、投票締切直近のレースに該当しなかったときは、処理がＳ９８へ進む。
【０１４８】
また、図９に示した投票券発券処理において、Ｓ９２では、誤記入数が複数であるか否かの判定が行われているが、その判定個数（閾値）を、読み取った投票内容に対応するレースの投票締切までの残時間に応じて変更するようにしてもよい。例えば、その残時間が長いほど、２より大きな値の判定個数（例えば３以上の複数、又は、４以上の複数等）としてもよい。これにより、投票者は、投票内容に対応するレースの投票締切までの残時間に応じて、その場から離れることなく継続して投票内容を修正できる。
【０１４９】
＜第５の実施形態＞
次に、投票券発券装置１００の更なる他の動作を、第５の実施形態として説明する。
図１０は、投票券発券装置１００による修正処理（図７のＳ３９、図８のＳ６３、又は図９のＳ９３参照）の一例を示すフローチャートである。
【０１５０】
投票券発券装置１００は、まず、馬番号（又は枠番号）の誤記入箇所が有るか否かを判定する（Ｓ１１１）。
Ｓ１１１の判定結果がＹｅｓの場合、投票券発券装置１００は、投票内容に対応するレースが、投票締切直近のレースであるか否かを判定する（Ｓ１１２）。なお、この判定は、例えば図７のＳ３７の処理と同様となる。
【０１５１】
Ｓ１１２の判定結果がＹｅｓの場合、投票券発券装置１００は、管理装置２００から取得した投票券の発売状況（図６のＳ１２等参照）に含まれるオッズに基づいて、投票内容に対応するレースで対象となる馬番号（又は枠番号）を人気順に並べてディスプレイ１０８に表示する（Ｓ１１３）。これにより、投票者は、人気順に並べて表示された馬番号（又は枠番号）を参考に、より速やかに、馬番号（又は枠番号）の修正が可能になる。
【０１５２】
一方、Ｓ１１２の判定結果がＮｏの場合、投票券発券装置１００は、投票内容に対応するレースで対象となる馬番号（又は枠番号）を昇順（通常）に並べてディスプレイ１０８に表示する（Ｓ１１４）。これにより、投票者は、昇順に並べて表示された馬番号（又は枠番号）を参照して馬番号（又は枠番号）の修正が可能になる。
【０１５３】
続いて、投票券発券装置１００は、タッチパネル１０９を介して投票者から馬番号（又は枠番号）の修正入力を受け付ける（Ｓ１１５）。
続いて、投票券発券装置１００は、タッチパネル１０９を介して投票者から修正のやり直し指示を受け付けたか否かを判定する（Ｓ１１６）。ここで、その判定結果がＹｅｓの場合には、処理がＳ１１５へ戻る。
【０１５４】
一方、Ｓ１１６の判定結果がＮｏの場合、又は、Ｓ１１１の判定結果がＮｏの場合、投票券発券装置１００は、馬番号（又は枠番号）以外の誤記入箇所が有るか否かを判定する（Ｓ１１７）。
Ｓ１１７の判定結果がＹｅｓの場合、投票券発券装置１００は、タッチパネル１０９を介して投票者から馬番号（又は枠番号）以外の修正入力を受け付ける（Ｓ１１８）。
【０１５５】
続いて、投票券発券装置１００は、タッチパネル１０９を介して投票者から修正のやり直し指示を受け付けたか否かを判定する（Ｓ１１９）。ここで、その判定結果がＹｅｓの場合には、処理がＳ１１８へ戻る。
【０１５６】
一方、Ｓ１１９の判定結果がＮｏの場合、又は、Ｓ１１７の判定結果がＮｏの場合、投票券発券装置１００は、当該修正処理が終了し、処理がリターンする。
【０１５７】
図１１Ａ、図１１Ｂ、図１１Ｃは、図１０に示した修正処理中にディスプレイ１０８に表示される表示画面例である。より詳しくは、図１１Ａは、Ｓ１１４にてディスプレイ１０８に表示された表示画面（修正画面）例である。図１１Ｂは、Ｓ１１３にてディスプレイ１０８に表示された表示画面（修正画面）例である。図１１Ｃは、Ｓ１１５の処理終了時にディスプレイ１０８に表示された表示画面（確認画面）例である。
【０１５８】
このように、投票内容に対応するレースが投票締切直近のレースでない場合には、図１１Ａの修正画面４１０の馬番号入力ボタン４１１が図に示したように馬番号が昇順に並べて表示されるのに対し、投票内容に対応するレースが投票締切直近のレースである場合には、図１１Ｂの修正画面４２０の馬番号入力ボタン４２１が図に示したように馬番号が人気順に並べて表示される。この例では、人気が高い順に「５」、「４」、「６」、「１３」、「１４」、「１０」、「７」、・・・、「１７」、「３」、「１８」、「１６」という順番で馬番号が表示されている。
【０１５９】
なお、図１１Ａの修正画面４１０、図１１Ｂの修正画面４２０において、「？？−？？」は、投票内容における馬番号の誤記入箇所を示している。
そして、例えば、投票者により、図１１Ｂの修正画面４２０において人気順に並べて表示された馬番号が参考にされて、馬番号の誤記入箇所「？？−？？」が「５−１３」へ修正されると、図１１Ｃの確認画面４３０が表示される。
【０１６０】
なお、図１１Ａの修正画面４１０、図１１Ｂの修正画面４２０、図１１Ｃの確認画面４３０では、投票内容の他、実際に投入された現金の額、払戻投票券の枚数、その払戻金、発券枚数、その現金と払戻金の合計である残金等が表示される。また、図１１Ｂの修正画面４２０と図１１Ｃの確認画面４３０では、投票内容のレース（「東京」の「２レース」）が投票締切直前である旨、及び、投票締切までの残時間等も表示される。また、図１１Ｃの確認画面４３０では、投票者が修正のやり直し指示を行うためのボタン４３１と、発券指示を行うためのボタン４３２等も表示される。
【０１６１】
このように、本実施形態に係る投票券発券装置１００によれば、投票内容において馬番号（又は枠番号）の誤記入箇所が有り、且つ、投票内容に対応するレースが投票締切直近のレースであった場合、投票者は、人気順に並べて表示された馬番号又は枠番号に基づいて、より速やかに馬番号又は枠番号の修正を行うことができる。
【０１６２】
＜第６の実施形態＞
次に、投票券発券装置１００の更なる他の動作を、第６の実施形態として説明する。
図１２は、投票券発券装置１００による修正処理（図７のＳ３９、図８のＳ６３、又は図９のＳ９３参照）の他の一例を示すフローチャートである。
投票券発券装置１００は、まず、馬番号（又は枠番号）の誤記入箇所が有るか否かを判定する（Ｓ１２１）。
【０１６３】
Ｓ１２１の判定結果がＹｅｓの場合、投票券発券装置１００は、タッチパネル１０９を介して投票者から馬番号（又は枠番号）の修正入力を受け付ける（Ｓ１２２）。
続いて、投票券発券装置１００は、投票内容に対応するレースが、投票締切直近のレースであるか否かを判定する（Ｓ１２３）。なお、この判定は、例えば図７のＳ３７の処理と同様となる。
【０１６４】
Ｓ１２３の判定結果がＹｅｓの場合、投票券発券装置１００は、管理装置２００から取得した投票券の発売状況（図６のＳ１２等参照）に含まれるオッズに基づいて、修正後の馬番号（又は枠番号）のオッズをディスプレイ１０８に表示する（Ｓ１２４）。これにより、投票者は、修正後の馬番号（又は枠番号）のオッズを参考に、より速やかに馬番号（又は枠番号）の修正の見直しを図ることが可能になる。
【０１６５】
Ｓ１２４の後、又は、Ｓ１２３の判定結果がＮｏの場合、投票券発券装置１００は、タッチパネル１０９を介して投票者から修正のやり直し指示を受け付けたか否かを判定する（Ｓ１２５）。ここで、その判定結果がＹｅｓの場合には、処理がＳ１２２へ戻る。
【０１６６】
一方、Ｓ１２５の判定結果がＮｏの場合、又は、Ｓ１２１の判定結果がＮｏの場合、続くＳ１２６乃至Ｓ１２８は、図１０のＳ１１７乃至Ｓ１１９と同様の処理となるため、その説明を割愛する。
【０１６７】
このように、本実施形態に係る投票券発券装置１００によれば、投票内容において馬番号（又は枠番号）の誤記入箇所が有り、且つ、投票内容に対応するレースが投票締切直近のレースであった場合、投票者は、表示された修正後の馬番号（又は枠番号）のオッズに基づいて、より速やかに馬番号（又は枠番号）についての修正の見直しを図ることができる。
【０１６８】
＜第７の実施形態＞
次に、投票券発券装置１００の更なる他の動作を、第７の実施形態として説明する。
図１３は、投票券発券装置１００による投票券発券処理（図６のＳ１３参照）の更なる他の一例を示すフローチャートである。
【０１６９】
図１３に示したＳ１３１乃至Ｓ１４５の処理は、Ｓ１３８の処理が追加された以外は、図７に示したＳ３１乃至Ｓ４４の処理と同様となる。すなわち、図１３において、Ｓ１３７の判定結果がＮｏの場合（投票内容に対応するレースが、投票締切直近のレースでない場合）、投票券発券装置１００は、タッチパネル１０９を介して投票者から投票見送り指示を受け付けたか否かを判定し（Ｓ１３８）、その判定結果がＹｅｓの場合には、Ｓ１４５へ処理が進み、Ｎｏの場合にはＳ１３９へ処理が進む、ということ以外は、図７に示した処理と同様となる。よって、その同様の処理についての説明は割愛する。なお、投票見送り指示とは、その時点での投票を見送るための指示である。
【０１７０】
図１４は、図１３に示した投票券発券処理中にディスプレイ１０８に表示される表示画面例であり、より詳しくは、Ｓ１３７の判定結果がＮｏの場合にディスプレイ１０８に表示された表示画面例である。
【０１７１】
このように、誤記入箇所が有って、投票内容に対応するレースが投票締切直近のレースでない場合には、図１４の表示画面４４０に示したように、投票見送り指示を行うためのボタン４４１が表示される。投票者は、タッチパネル１０９を介して、このボタン４４１を押下することにより、投票見送り指示を行うことができる。また、修正した内容で、投票する場合は、ボタン４４２を押下すると投票が可能となる。
【０１７２】
なお、図１４の表示画面４４０において、「？」は、投票内容における投票金額の誤記入箇所を示している。また、この表示画面４４０では、投票内容の他、実際に投入された現金の額、払戻投票券の枚数、その払戻金、発券枚数、その現金と払戻金の合計である残金等も表示されている。
【０１７３】
このように、本実施形態に係る投票券発券装置１００によれば、投票カードの投票内容に対応するレースが投票締切直近のレースでなく、且つ、投票カードの誤記入有りで、且つ、投票見送り指示が為された場合、投票カードの返却が行われる。よって、投票者は、その時点での投票を見送り、後に投票を行うことができる。また、その投票の見送りが行われた分、複数枚を一括挿入していた未処理の投票カードの内、レースの投票締切までの残時間が所定時間未満である投票カードの投票をより速やかに行うことができる。また、後続の投票者は、より速やかに投票を開始できる。
【０１７４】
なお、図１３に示した投票券発券処理では、第２の実施形態と同様に、Ｓ１３９の判定結果がＹｅｓの場合に、次のような処理を追加して行うようにしてもよい。その処理とは、複数の誤記入箇所の中に、修正が行われることで投票締切直近のレースに該当することになり得る誤記入箇所が含まれる場合には、一時的に、その誤記入箇所のみについての修正を許可する。そして、タッチパネル１０９を介して投票者により修正が行われて、修正後のレースが、投票締切直近のレースに該当した場合には、例外的に、処理がＳ１４０へ進むようにしてもよい。これにより、投票者は、その場から離れることなく継続して投票内容を修正できる。なお、この場合に、修正後のレースが、投票締切直近のレースに該当しなかったときは、処理がＳ１４５へ進む。
【０１７５】
また、図１３に示した投票券発券処理において、Ｓ１３９では、誤記入数が複数であるか否かの判定が行われているが、その判定個数（閾値）を、読み取った投票内容に対応するレースの投票締切までの残時間に応じて変更するようにしてもよい。例えば、その残時間が長いほど、２より大きな値の判定個数（例えば３以上の複数、又は、４以上の複数等）としてもよい。これにより、投票者は、投票内容に対応するレースの投票締切までの残時間に応じて、その場から離れることなく継続して投票内容を修正できる。
【０１７６】
また、図１３に示した投票券発券処理において、Ｓ１４０では、図１０に示した修正処理が行われてもよい。これにより、投票者は、人気順に並べて表示された馬番号又は枠番号に基づいて、より速やかに馬番号又は枠番号の修正を行うことができる。
【０１７７】
また、図１３に示した投票券発券処理において、Ｓ１４０では、図１２に示した修正処理が行われてもよい。これにより、投票者は、表示された修正後の馬番号（又は枠番号）のオッズに基づいて、より速やかに馬番号（又は枠番号）についての修正の見直しを図ることができる。
【０１７８】
＜第８の実施形態＞
次に、投票券発券装置１００の更なる他の動作を、第８の実施形態として説明する。
図１５（図１５Ａ、図１５Ｂ）は、投票券発券装置１００による投票券発券処理（図６のＳ１３参照）の更なる他の一例を示すフローチャートである。
投票券発券装置１００は、まず、現金及び払戻投票券の受入処理を行う（Ｓ１５１）。なお、この処理は、図７のＳ３１と同様の処理となるため、その詳細説明を割愛する。
【０１７９】
続いて、投票券発券装置１００は、投票締切直近のレースが有るか否かを判定する（Ｓ１５２）。なお、投票締切直近のレースとは、既述のとおり、投票締切までの残時間が所定時間（例えば３分）未満のレースである。投票締切直近のレースは、例えば、現在時刻と、運用データ及び発売状況（図６のＳ１１、Ｓ１２等参照）に含まれる発売レース、予定投票締切時刻等に基づいて決定することができる。
【０１８０】
Ｓ１５２の判定結果がＹｅｓの場合、投票券発券装置１００は、投票カードのみによる投票を受け付ける旨をディスプレイ１０８に表示する（Ｓ１５３）。或いは、手動入力による投票を受け付けない旨をディスプレイ１０８に表示するようにしてもよい。なお、手動入力による投票とは、投票者が投票カードを用いずにタッチパネル１０９を介して投票内容を入力することを言う。
【０１８１】
一方、Ｓ１５２の判定結果がＮｏの場合、投票券発券装置１００は、投票モード選択ボタンとして、投票カードボタンと手動入力ボタンをディスプレイ１０８に表示する（Ｓ１５４）。なお、投票カードボタンとは、投票モードとして、投票カード投票モードを指定するためのボタンである。投票カード投票モードとは、投票カードを用いて投票を行う投票モードである。また、手動入力ボタンとは、投票モードとして、手動入力投票モードを指定するためのボタンである。手動入力投票モードとは、タッチパネル１０９を介して投票を行う投票モードである。
【０１８２】
Ｓ１５４の後、投票券発券装置１００は、タッチパネル１０９を介して投票者により投票カードボタン又は手動入力ボタンが押下されることにより、選択された投票モードが手動入力投票モードであるか投票カード投票モードであるかを判定する（Ｓ１５５）。
【０１８３】
Ｓ１５５の判定結果が手動入力投票モードであった場合、投票券発券装置１００は、フラグを１に設定する（Ｓ１５６）。なお、フラグを１に設定するとは、投票モードとして手動入力投票モードを設定することを言う。手動入力投票モードが設定されると、タッチパネル１０９を介しての投票が許可され、投票カードによる投票が禁止される。よって、この場合、投票者は、タッチパネル１０９を介してのみ投票を行うことができる。
【０１８４】
一方、Ｓ１５５の判定結果が投票カード投票モードであった場合、又は、Ｓ１５３の後、投票券発券装置１００は、フラグを０に設定する（Ｓ１５７）。なお、フラグを０に設定するとは、投票モードとして投票カード投票モードを設定することを言う。投票カード投票モードが設定されると、投票カードによる投票が許可され、タッチパネル１０９を介しての投票が禁止される。よって、この場合、投票者は、投票カードによりのみ投票を行うことができる。
【０１８５】
なお、フラグの値（１又は０）は、例えばＲＡＭ１２１に記憶（設定）される。
Ｓ１５６の後、又は、Ｓ１５７の後、投票券発券装置１００は、フラグが１であるか否かを判定する（Ｓ１５８）。
【０１８６】
Ｓ１５８の判定結果がＹｅｓの場合、投票券発券装置１００は、投票内容の手動入力処理を行う（Ｓ１５９）。この処理では、タッチパネル１０９を介しての投票者による投票内容の入力が行われる。
【０１８７】
Ｓ１５９の後、投票券発券装置１００は、タッチパネル１０９を介して投票者から発券指示を受け付けたか否かを判定する（Ｓ１６０）。ここで、その判定結果がＮｏの場合には、処理がＳ１５９へ戻る。
【０１８８】
一方、Ｓ１５８の判定結果がＮｏの場合、投票券発券装置１００は、投票カード投入口１０４ａに投票カードが有るか否かを判定する（Ｓ１６１）。なお、この判定は、カード有無検出センサ１４０の検出結果に応じて、行われる。
【０１８９】
Ｓ１６１の判定結果がＹｅｓの場合、投票券発券装置１００は、ピックアップローラ１３１により投票カード投入口１０４ａから投票カードを一枚、搬送路へ搬送し、その投票内容を読み取る（Ｓ１６２）。なお、投票内容の読取は、投票カード読取ユニット１１４により行われる。
【０１９０】
Ｓ１６２の後、又は、Ｓ１６０の判定結果がＹｅｓの場合、投票券発券装置１００は、管理装置２００から取得した投票券の発売状況（図６のＳ１２等参照）に含まれる発売締切レース番号等に基づいて、投票内容に対応するレースが投票締切済みであるか否かを判定する（Ｓ１６３）。
【０１９１】
Ｓ１６３の判定結果がＮｏの場合、投票券発券装置１００は、投票内容に応じた投票電文を作成し、管理装置２００へ送信する（Ｓ１６４）。なお、その投票電文を受信した管理装置２００は、その投票内容に応じた発券を許可するか否かを判定し、許可する場合には投票券発券装置１００へ発券許可応答を送信し、許可しない場合には投票券発券装置１００に発券不許可応答を送信する。
【０１９２】
Ｓ１６４の後、投票券発券装置１００は、管理装置２００から受信した応答が発券許可応答であるか否かを判定する（Ｓ１６５）。
Ｓ１６５の判定結果がＹｅｓの場合、投票券発券装置１００は、発券許可応答に対応する投票券を発券する（Ｓ１６６）。なお、この処理では、投票券印刷ユニット１１７による投票券の印刷、発券が行われる。
【０１９３】
一方、Ｓ１６５の判定結果がＮｏの場合、又は、Ｓ１６３の判定結果がＹｅｓの場合、投票券発券装置１００は、フラグが０であるか否かを判定する（Ｓ１６７）。
Ｓ１６７の判定結果がＹｅｓの場合、投票券発券装置１００は、投票カードの返却処理を行う（Ｓ１６８）。なお、この処理は、図７のＳ４４と同様の処理となるため、その詳細説明を割愛する。
【０１９４】
Ｓ１６８の後、Ｓ１６７の判定結果がＮｏの場合、Ｓ１６６の後、又は、Ｓ１６１の判定結果がＮｏの場合、投票券発券装置１００は、タッチパネル１０９を介して投票者から精算指示を受け付けたか否かを判定する（Ｓ１６９）。ここで、その判定結果がＮｏの場合には、処理がＳ１５８へ戻る。
【０１９５】
一方、Ｓ１６９の判定結果がＹｅｓの場合、投票券発券装置１００は、精算処理を行う（Ｓ１７０）。なお、この処理は、図７のＳ３３と同様の処理となるため、その詳細説明を割愛する。Ｓ１７０の後は、当該投票券発券処理が終了し、処理がリターンする。
【０１９６】
このように、本実施形態に係る投票券発券装置１００によれば、投票締切直近のレースが無い場合、投票者は、タッチパネル１０９を介しての投票内容の入力が許可される（但し、手動入力投票モードが選択された場合）。よって、投票者は、投票カードを用いずに、投票することができる。
【０１９７】
また、投票締切直近のレースが有る場合、投票者は、タッチパネル１０９を介しての投票内容の入力が禁止される。よって、投票が投票カードによる投票のみに限られることから、後続の投票者は、より速やかに投票を開始できる。
【０１９８】
＜第９の実施形態＞
次に、投票券発券装置１００の更なる他の動作を、第９の実施形態として説明する。
図１６（図１６Ａ、図１６Ｂ）は、投票券発券装置１００による投票券発券処理（図６のＳ１３参照）の更なる他の一例を示すフローチャートである。
投票券発券装置１００は、まず、現金及び払戻投票券の受入処理を行う（Ｓ１８１）。なお、この処理は、図７のＳ３１と同様の処理となるため、その詳細説明を割愛する。
【０１９９】
続いて、投票券発券装置１００は、投票カード投入口１０４ａに投票カードが有るか否かを判定する（Ｓ１８２）。なお、この判定は、カード有無検出センサ１４０の検出結果に応じて、行われる。
【０２００】
Ｓ１８２の判定結果がＮｏの場合、投票券発券装置１００は、本判定を繰り返す。
一方、Ｓ１８２の判定結果がＹｅｓの場合、投票券発券装置１００は、現時点で取得されている投票券の発売状況を、投票カード投入時の投票券の発売状況として、例えばＲＡＭ１２１に記憶する（Ｓ１８３）。なお、現時点で取得されている投票券の発売状況は、図６のＳ１２で取得されたもの、又は、管理装置２００により定期的に或いは発売停止や減算停止などのイベント発生により通知されたものである。投票カード投入時の発売状況は、例えばテーブル（発売状況テーブル）として記憶される。また、その発売状況テーブルは、図１７Ａ及び図１７Ｂを用いて後述するように、各レース（場毎の各レース番号）の投票券の発売状況（例えば発売中又は発売停止、減算中又は減算停止等）を含む。
【０２０１】
続いて、投票券発券装置１００は、ピックアップローラ１３１により投票カード投入口１０４ａから投票カードを一枚、搬送路へ搬送し、その投票内容を読み取る（Ｓ１８４）。なお、投票内容の読取は、投票カード読取ユニット１１４により行われる。
【０２０２】
続いて、投票券発券装置１００は、Ｓ１８３で記憶された、投票カード投入時の投票券の発売状況から、投票内容に対応するレースの投票券が発売中であるか否かを判定する（Ｓ１８５）。
【０２０３】
Ｓ１８５の判定結果がＹｅｓの場合、投票券発券装置１００は、Ｓ１８３の処理の後（投票カード投入時の投票券の発売状況を記憶した後）に取得された投票券の発売状況から、投票内容に対応するレースの投票券が発売停止になったか否かを判定する（Ｓ１８６）。なお、Ｓ１８３の処理の後に投票券の発売状況が取得されていなければ、Ｓ１８６の判定結果はＮｏとなる。
【０２０４】
Ｓ１８６の判定結果がＹｅｓの場合、投票券発券装置１００は、Ｓ１８３の処理の後（投票カード投入時の投票券の発売状況を記憶した後）に取得された投票券の発売状況から、投票内容に対応するレースの投票券が減算停止になったか否かを判定する（Ｓ１８７）。なお、Ｓ１８３の処理の後に投票券の発売状況が取得されていなければ、Ｓ１８７の判定結果はＮｏとなる。
【０２０５】
一方、Ｓ１８６の判定結果がＮｏの場合、投票券発券装置１００は、投票内容に応じた投票電文を作成し、管理装置２００へ送信する（Ｓ１８８）。
一方、Ｓ１８７の判定結果がＮｏの場合、投票券発券装置１００は、投票内容に応じた救済用投票電文を作成し、管理装置２００へ送信する（Ｓ１８９）。
【０２０６】
なお、投票電文または救済用投票電文を受信した管理装置２００は、図１８を用いて後述する所定の条件に応じて、その投票内容に応じた発券を許可するか否かを判定し、許可する場合には投票券発券装置１００へ発券許可応答（発券許可電文）を送信し、許可しない場合には投票券発券装置１００に発券不許可応答（発券不許可電文）を送信する。
【０２０７】
Ｓ１８９の後、又は、Ｓ１８８の後、投票券発券装置１００は、管理装置２００から受信した応答が発券許可応答であるか否かを判定する（Ｓ１９０）。
Ｓ１９０の判定結果がＹｅｓの場合、投票券発券装置１００は、発券許可応答に対応する投票券を発券する（Ｓ１９１）。なお、この処理では、投票券印刷ユニット１１７による投票券の印刷、発券が行われる。
【０２０８】
一方、Ｓ１９０の判定結果がＮｏの場合、又は、Ｓ１８７の判定結果がＹｅｓの場合、或いは、Ｓ１８５の判定結果がＮｏの場合には、投票券発券装置１００は、投票カードの返却処理を行う（Ｓ１９２）。なお、この処理は、図７のＳ４４と同様の処理となるため、その詳細説明を割愛する。
【０２０９】
Ｓ１９２の後、又は、Ｓ１９１の後、投票券発券装置１００は、タッチパネル１０９を介して投票者から精算指示を受け付けたか否かを判定する（Ｓ１９３）。
Ｓ１９３の判定結果がＹｅｓの場合、投票券発券装置１００は、精算処理を行う（Ｓ１９４）。なお、この処理は、図７のＳ３３と同様の処理となるため、その詳細説明を割愛する。Ｓ１９４の後は、当該投票券発券処理が終了し、処理がリターンする。
【０２１０】
一方、Ｓ１９３の判定結果がＮｏの場合、投票券発券装置１００は、投票カード投入口１０４ａに投票カードが有るか否かを判定する（Ｓ１９５）。なお、この判定は、カード有無検出センサ１４０の検出結果に応じて、行われる。
Ｓ１９５の判定結果がＮｏの場合、処理がＳ１９３へ戻る。
一方、Ｓ１９５の判定結果がＹｅｓの場合、処理がＳ１８４へ戻る。
【０２１１】
図１７Ａは、Ｓ１８３で記憶される発売状況テーブル（投票カード投入時の投票券の発売状況）の一例を示す図である。図１７Ｂは、発売状況テーブルに含まれる「発売状況」の種類の一例を示す図である。
【０２１２】
図１７Ａに示したように、発売状況テーブルは、各レースの投票券の発売状況の情報として、「場」、「レース（レース番号）」、「発売状況」の情報を含む。なお、「発売状況」の種類は、図１７Ｂに示したように、「発売中」、「発売中／減算中」、「発売停止／減算中」、「発売停止／減算停止」、「払戻中」、「払戻停止」の６種類となり、発売状況テーブルに含まれる各「発売状況」は、その６種類の何れかとなる。ここで、例えば        
【０２１３】
「発売中／減算中」における「／」は「且つ」を意味し、この場合には、発売中で且つ減算中という意味となる。
このように、発売状況テーブルには、場毎に各レース番号の発売状況の情報が含まれる。
【０２１４】
図１８は、Ｓ１８８又はＳ１８９で送信された電文を受信した管理装置２００が発券を許可するか否かを判定する際の基準となる条件の一例を示す図である。
【０２１５】
図１８に示したように、管理装置２００は、「投票電文」を受信し、その投票内容に対応するレースが「発売中／減算中」である場合には「発券許可」とし、「発売停止／減算中」又は「発売停止／減算停止」である場合には「発券不許可」とする。
【０２１６】
一方、管理装置２００は、「救済用投票電文」を受信し、その投票内容に対応するレースが「発売中／減算中」又は「発売停止／減算中」である場合には「発券許可」とし、「発売停止／減算停止」である場合には「発券不許可」とする。
【０２１７】
このように、本実施形態に係る投票券発券装置１００によれば、投票カード投入口１０４ａに投票カードが投入された時点において投票カードの投票内容に対応する投票券が発売中であって、その後に、その投票内容に対応する投票券が発売停止になったが、減算停止にはなっていない場合には、救済用投票電文が送信される。そして、その応答としての発券許可電文が受信されると、その投票カードに対する投票券の発券が許可される。よって、このような場合、投票者は、その投票券の購入ができる。なお、従来では、このような場合に投票券の発券が禁止され、投票者は投票券の購入ができなかった。
【０２１８】
例えば、場，レース番号が、「東京」，「３」のレース、「東京」，「４」のレース、及び「東京」，「５」のレースの３枚の投票カードが投票カード投入口１０４ａに一括投入され、そのときの各レースの発売状況が、例えば図１７Ａの発売状況テーブルに示されたように「発売中／減算中」であったとする。その後、投票券発券処理中において、管理装置２００からの通知により、それらのレースの投票券の発売状況が「発売停止／減算中」になったとする。従来では、投票カード投入時に「発売中／減算中」であっても、投票電文が送信される前に「発売停止／減算中」が通知された場合には、投票電文の送信は行われず、発券は許可されなかった。これに対し、本実施形態では、そのような場合であっても、救済用投票電文が送信され、結果として、発券が許可され得る。よって、投票者は、このような従来では発券が許可されなかった状況であっても、投票券の購入ができる。
【０２１９】
また、投票カード投入口１０４ａに投票カードが投入された時点において投票カードの投票内容に対応する投票券が発売中であって、その後に、その投票内容に対応する投票券が発売停止且つ減算停止になった場合には、投票券の発券が禁止されて投票カードが返却される。よって、このような場合には、従来通り、投票券の発券が禁止され、投票者は、投票券の購入ができない。
【０２２０】
以上、実施形態を説明したが、本発明は、上述した実施形態に限定されることなく、本発明の要旨を逸脱しない範囲内で種々の改良・変更が可能である。
例えば、各実施形態において、投票券発券装置１００は、投票締切直近のレースが有る場合に、その旨を、投票者に告知するようにしてもよい。その告知方法としては、例えば、その旨をディスプレイ１０８に表示させるようにしてもよい。或いは、運用状況表示窓１０１における表示形式を変更（発券受付中と発券停止中を交互に表示等）することにより、その旨を告知するようにしてもよい。この場合、そのような表示形式の意味を予め投票者に知らせておけばよい。また、紙幣投入排出口１０５にＬＥＤ群を設け、早期の紙幣投入を促すために、ＬＥＤ群を所定の形式で点灯させるようにしてもよい。例えば、紙幣が投入される方向へ光が流れるように、ＬＥＤ群を点滅させるようにしてもよい。或いは、そのような点滅と全体点滅とを交互に繰り返すようにしても良い。
【０２２１】
以上の実施の形態に関し、更に以下の付記を開示する。
（付記１）
公営競技の投票券を発券する投票券発券装置であって、
投票カードから投票内容を読み取る読取部と、
前記投票内容を記憶する記憶部と、
前記投票内容に基づいて投票券の発券を行う発券部と、
所定の判定結果に応じて前記投票券の発券に係る動作を変更する変更部と、
を備えることを特徴とする投票券発券装置。
（付記２）
前記投票内容を修正する修正部と、
投票締切までの残時間を取得する残時間取得部と、
を更に備え、
前記変更部は、
前記投票内容に対応するレースの投票締切までの残時間が所定時間以上であるか否かを判定する残時間判定部と、
前記投票内容に基づいて前記投票カードの誤記入の有無を判定する誤記入判定部と、
前記投票内容に基づいて前記投票カードの誤記入数が所定数以上であるか否かを判定する誤記入数判定部と、
を含む、
ことを特徴とする付記１記載の投票券発券装置。
（付記３）
前記変更部は、
前記投票内容に対応するレースの投票締切までの残時間が所定時間以上であると前記残時間判定部が判定し、且つ、前記投票カードの誤記入有りと前記誤記入判定部が判定し、且つ、前記投票カードの誤記入数が所定数以上であると前記誤記入数判定部が判定した場合には、前記修正部による前記投票内容の修正を禁止して前記投票カードを返却する第１の動作を行い、
前記投票内容に対応するレースの投票締切までの残時間が所定時間以上であると前記残時間判定部が判定し、且つ、前記投票カードの誤記入有りと前記誤記入判定部が判定し、且つ、前記投票カードの誤記入数が所定数以上でないと前記誤記入数判定部が判定した場合には、前記修正部による前記投票内容の修正を許可する第２の動作を行い、
前記投票内容に対応するレースの投票締切までの残時間が所定時間以上でないと前記残時間判定部が判定し、且つ、前記投票カードの誤記入有りと前記誤記入判定部が判定した場合には、前記修正部による前記投票内容の修正を許可する第３の動作を行う、
ように前記投票券の発券に係る動作を変更する、
ことを特徴とする付記２記載の投票券発券装置。
（付記４）
投入口に投入された投票カードが複数であるか否かを検出する検出部を更に備える、
ことを特徴とする付記２記載の投票券発券装置。
（付記５）
前記変更部は、
投入口に投入された投票カードが複数であると前記検出部により検出された場合において、前記投入口に投入された複数の投票カードの各々に対し、前記投票カードの誤記入有りと前記誤記入判定部が判定し、且つ、前記投票カードの誤記入数が所定数以上であると前記誤記入数判定部が判定した場合に、前記修正部による前記投票内容の修正を禁止して前記投票カードを返却する第４の動作を行い、
投入口に投入された投票カードが複数であると前記検出部により検出された場合において、前記投入口に投入された複数の投票カードの各々に対し、前記投票カードの誤記入有りと前記誤記入判定部が判定し、且つ、前記投票カードの誤記入数が所定数以上でないと前記誤記入数判定部が判定した場合に、前記修正部による前記投票内容の修正を許可する第５の動作を行い、
投入口に投入された投票カードが複数でないと前記検出部により検出された場合において、前記投入口に投入された投票カードの投票内容に対応するレースの投票締切までの残時間が所定時間以上でないと前記残時間判定部が判定し、且つ、前記投票カードの誤記入有りと前記誤記入判定部が判定した場合に、前記修正部による前記投票内容の修正を許可する第６の動作を行う、
ように前記投票券の発券に係る動作を変更する、
ことを特徴とする付記４記載の投票券発券装置。
（付記６）
投入口に一括投入された投票カードの枚数が所定枚数以上であるか否かを検出する検出部を更に備える、
ことを特徴とする付記２記載の投票券発券装置。
（付記７）
前記変更部は、
投入口に一括投入された投票カードの枚数が所定枚数以上であると前記検出部により検出された場合において、前記投入口に一括投入された投票カードの各々に対し、前記投票カードの誤記入有りと前記誤記入判定部が判定し、且つ、前記投票カードの誤記入数が所定数以上であると前記誤記入数判定部が判定した場合に、前記修正部による前記投票内容の修正を禁止して前記投票カードを返却する第７の動作を行い、
投入口に一括投入された投票カードの枚数が所定枚数以上であると前記検出部により検出された場合において、前記投入口に一括投入された投票カードの各々に対し、前記投票カードの誤記入有りと前記誤記入判定部が判定し、且つ、前記投票カードの誤記入数が所定数以上でないと前記誤記入数判定部が判定した場合に、前記修正部による前記投票内容の修正を許可する第８の動作を行い、
投入口に一括投入された投票カードの枚数が所定枚数以上でないと前記検出部により検出された場合において、前記投入口に一括投入された投票カードの各々に対し、投票カードの投票内容に対応するレースの投票締切までの残時間が所定時間以上でないと前記残時間判定部が判定し、且つ、前記投票カードの誤記入有りと前記誤記入判定部が判定した場合に、前記修正部による前記投票内容の修正を許可する第９の動作を行う、
ように前記投票券の発券に係る動作を変更する、
ことを特徴とする付記６記載の投票券発券装置。
（付記８）
オッズ情報を取得するオッズ情報取得部と、
前記第３、第６、又は第９の動作において前記修正部による修正が許可されて、馬番号、車番号、艇番号、又は枠番号の修正が行われる場合に、前記オッズ情報取得部により取得されたオッズ情報に基づいて馬番号、車番号、艇番号、又は枠番号を人気順に並べて表示する表示部と、
を更に備える、
ことを特徴とする付記３、５、又は７記載の投票券発券装置。
（付記９）
オッズ情報を取得するオッズ情報取得部と、
前記第３、第６、又は第９の動作において前記修正部による修正が許可されて、馬番号、車番号、艇番号、又は枠番号の修正が行われた場合に、修正後の馬番号、車番号、艇番号、又は枠番号のオッズを前記オッズ情報取得部により取得されたオッズ情報に基づいて表示する表示部と、
を更に備える、
ことを特徴とする付記３、５、又は７記載の投票券発券装置。
（付記１０）
投票見送り指示を入力する入力部を更に備える、
ことを特徴とする付記２記載の投票券発券装置。
（付記１１）
前記変更部は、
前記投票内容に対応するレースの投票締切までの残時間が所定時間以上であると前記残時間判定部が判定し、且つ、前記投票カードの誤記入有りと前記誤記入判定部が判定し、且つ、前記入力部により投票見送り指示が入力された場合には、前記投票カードを返却する動作を行う、
ように前記投票券の発券に係る動作を変更する、
ことを特徴とする付記１０記載の投票券発券装置。
（付記１２）
投票内容を入力する入力部と、
投票締切までの残時間を取得する残時間取得部と、
を更に備え、
前記変更部は、
投票締切までの残時間が最も短いレースの投票締切までの残時間が所定時間以上であるか否かを判定する最短残時間判定部を含む、
ことを特徴とする付記１記載の投票券発券装置。
（付記１３）
前記変更部は、
前記投票締切までの残時間が最も短いレースの投票締切までの残時間が所定時間以上であると前記最短残時間判定部が判定した場合に、前記入力部による投票内容の入力を許可する動作を行い、
前記レースの投票締切までの残時間が所定時間以上でないと前記最短残時間判定部が判定した場合に、前記入力部による投票内容の入力を禁止する動作を行う、
ように前記投票券の発券に係る動作を変更する、
ことを特徴とする付記１２記載の投票券発券装置。
（付記１４）
投票券の発売状況情報を取得する発売状況情報取得部と、
上位装置との間で電文の送受信を行う電文送受信部と、
を更に備え、
前記変更部は、
投入口に投票カードが投入された時点において前記発売状況情報取得部により取得されている発売状況情報から、前記投票カードの投票内容に対応する投票券が発売中であるか否かを判定する発売中判定部と、
前記時点の後に前記発売状況情報取得部により取得された発売状況情報から、前記投票カードの投票内容に対応する投票券が発売停止になったか否かを判定する発売停止判定部と、
前記時点の後に前記発売状況情報取得部により取得された発売状況情報から、前記投票カードの投票内容に対応する投票券が減算停止になったか否かを判定する減算停止判定部と、
を含む、
ことを特徴とする付記１記載の投票券発券装置。
（付記１５）
前記変更部は、
前記時点において前記投票カードの投票内容に対応する投票券が発売中であると前記発売中判定部が判定し、且つ、前記時点の後に前記投票カードの投票内容に対応する投票券が発売停止になったと前記発売停止判定部が判定し、且つ、前記時点の後に前記投票カードの投票内容に対応する投票券が減算停止になっていないと前記減算停止判定部が判定した場合に、救済用投票電文が前記電文送受信部により送信され、前記救済用投票電文の応答としての発券許可電文が前記電文送受信部により受信されると、前記投票カードの投票内容の投票券の発券を許可する動作を行う、
ように投票券の発券に係る動作を変更する、
ことを特徴とする付記１４記載の投票券発券装置。
（付記１６）
前記変更部は、
前記時点において前記投票カードの投票内容に対応する投票券が発売中であると前記発売中判定部が判定し、且つ、前記時点の後に前記投票カードの投票内容に対応する投票券が発売停止であると前記発売停止判定部が判定し、且つ、前記時点の後に前記投票カードの投票内容に対応する投票券が減算停止になったと前記減算停止判定部が判定した場合に、前記投票カードの投票内容の投票券の発券を禁止して前記投票カードを返却する動作を行う、
ように投票券の発券に係る動作を変更する、
ことを特徴とする付記１４又は１５記載の投票券発券装置。
（付記１７）
公営競技の投票カードから読み取った投票内容に基づいて投票券の発券を行う投票券発券装置に含まれるコンピュータは、
所定の判定結果に応じて前記投票券の発券に係る動作を変更する、
処理を実行することを特徴とする投票券発券方法。
（付記１８）
前記コンピュータは、
前記投票内容に対応するレースの投票締切までの残時間が所定時間以上であると判定し、且つ、前記投票カードの誤記入有りと判定し、且つ、前記投票カードの誤記入数が所定数以上であると判定した場合には、前記投票内容の修正を禁止して前記投票カードを返却する第１の動作を行い、
前記投票内容に対応するレースの投票締切までの残時間が所定時間以上であると判定し、且つ、前記投票カードの誤記入有りと判定し、且つ、前記投票カードの誤記入数が所定数以上でないと判定した場合には、前記投票内容の修正を許可する第２の動作を行い、
前記投票内容に対応するレースの投票締切までの残時間が所定時間以上でないと判定し、且つ、前記投票カードの誤記入有りと判定した場合には、前記投票内容の修正を許可する第３の動作を行う、
ように前記投票券の発券に係る動作を変更する、
処理を実行することを特徴とする付記１７記載の投票券発券方法。
（付記１９）
前記コンピュータは、
投入口に投入された投票カードが複数であると検出された場合において、前記投入口に投入された複数の投票カードの各々に対し、前記投票カードの誤記入有りと判定し、且つ、前記投票カードの誤記入数が所定数以上であると判定した場合に、前記投票内容の修正を禁止して前記投票カードを返却する第４の動作を行い、
投入口に投入された投票カードが複数であると検出された場合において、前記投入口に投入された複数の投票カードの各々に対し、前記投票カードの誤記入有りと判定し、且つ、前記投票カードの誤記入数が所定数以上でないと判定した場合に、前記投票内容の修正を許可する第５の動作を行い、
投入口に投入された投票カードが複数でないと検出された場合において、前記投入口に投入された投票カードの投票内容に対応するレースの投票締切までの残時間が所定時間以上でないと判定し、且つ、前記投票カードの誤記入有りと判定した場合に、前記投票内容の修正を許可する第６の動作を行う、
ように前記投票券の発券に係る動作を変更する、
処理を実行することを特徴とする付記１７記載の投票券発券方法。
（付記２０）
前記コンピュータは、
投入口に一括投入された投票カードの枚数が所定枚数以上であると検出された場合において、前記投入口に一括投入された投票カードの各々に対し、前記投票カードの誤記入有りと判定し、且つ、前記投票カードの誤記入数が所定数以上であると判定した場合に、前記投票内容の修正を禁止して前記投票カードを返却する第７の動作を行い、
投入口に一括投入された投票カードの枚数が所定枚数以上であると検出された場合において、前記投入口に一括投入された投票カードの各々に対し、前記投票カードの誤記入有りと判定し、且つ、前記投票カードの誤記入数が所定数以上でないと判定した場合に、前記投票内容の修正を許可する第８の動作を行い、
投入口に一括投入された投票カードの枚数が所定枚数以上でないと検出された場合において、前記投入口に一括投入された投票カードの各々に対し、投票カードの投票内容に対応するレースの投票締切までの残時間が所定時間以上でないと判定し、且つ、前記投票カードの誤記入有りと判定した場合に、前記投票内容の修正を許可する第９の動作を行う、
ように前記投票券の発券に係る動作を変更する、
処理を実行することを特徴とする付記１７記載の投票券発券方法。
（付記２１）
前記コンピュータは、
前記第３、第６、又は第９の動作において前記投票内容の修正が許可されて、馬番号、車番号、艇番号、又は枠番号の修正が行われる場合に、取得されたオッズ情報に基づいて馬番号、車番号、艇番号、又は枠番号を人気順に並べて表示する、
処理を実行することを特徴とする付記１８乃至２０の何れか一つに記載の投票券発券方法。
（付記２２）
前記コンピュータは、
前記第３、第６、又は第９の動作において前記投票内容による修正が許可されて、馬番号、車番号、艇番号、又は枠番号の修正が行われた場合に、修正後の馬番号、車番号、艇番号、又は枠番号のオッズを、取得されたオッズ情報に基づいて表示する、
処理を実行することを特徴とする付記１８乃至２０の何れか一つに記載の投票券発券方法。
（付記２３）
前記コンピュータは、
前記投票内容に対応するレースの投票締切までの残時間が所定時間以上であると判定し、且つ、前記投票カードの誤記入有りと判定し、且つ、投票見送り指示が入力された場合には、前記投票カードを返却する動作を行う、
ように前記投票券の発券に係る動作を変更する、
処理を実行することを特徴とする付記１７記載の投票券発券方法。
（付記２４）
前記コンピュータは、
前記投票締切までの残時間が最も短いレースの投票締切までの残時間が所定時間以上であると判定した場合に、投票内容の手動入力を許可する動作を行い、
前記レースの投票締切までの残時間が所定時間以上でないと判定した場合に、前記投票内容の手動入力を禁止する動作を行う、
ように前記投票券の発券に係る動作を変更する、
処理を実行することを特徴とする付記１７記載の投票券発券方法。
（付記２５）
前記コンピュータは、
投入口に投票カードが投入された時点において前記投票カードの投票内容に対応する投票券が発売中であると判定し、且つ、前記時点の後に前記投票カードの投票内容に対応する投票券が発売停止になったと判定し、且つ、前記時点の後に前記投票カードの投票内容に対応する投票券が減算停止になっていないと判定した場合に、救済用投票電文が送信され、前記救済用投票電文の応答としての発券許可電文が受信されると、前記投票カードの投票内容の投票券の発券を許可する動作を行い、
投入口に投票カードが投入された時点において前記投票カードの投票内容に対応する投票券が発売中であると判定し、且つ、前記時点の後に前記投票カードの投票内容に対応する投票券が発売停止であると判定し、且つ、前記時点の後に前記投票カードの投票内容に対応する投票券が減算停止になったと判定した場合に、前記投票カードの投票内容の投票券の発券を禁止して前記投票カードを返却する動作を行う、
ように投票券の発券に係る動作を変更する、
処理を実行することを特徴とする付記１７記載の投票券発券方法。
【符号の説明】
【０２２２】
１          読取部
２          入力部
３          記憶部
４          修正部
５          発券部
６          所定枚数投票カード検出部
７          複数投票カード検出部
８          電文送受信部
９          残時間取得部
１０        オッズ情報取得部
１１        表示部
１２        発売状況情報取得部
１３        変更部
１４        誤記入判定部
１５        誤記入数判定部
１６        残時間判定部
１７        最短残時間判定部
１８        発売中判定部
１９        発売停止判定部
２０        減算停止判定部
１００      投票券発券装置
１０１      運用状況表示窓
１０２      投票券投入口
１０３      投票券排出口
１０４      投票カード投入排出口
１０４ａ    投票カード投入口
１０４ｂ    投票カード返却口
１０５      紙幣投入排出口
１０６      硬貨投入口
１０７      硬貨排出口
１０８      ディスプレイ
１０９      タッチパネル
１１１      制御部
１１２      管理者用ディスプレイ
１１３      管理者用タッチパネル
１１４      投票カード読取ユニット
１１５      紙幣還流ユニット
１１６      硬貨還流ユニット
１１７      投票券印刷ユニット
１１８      払戻投票券読取ユニット
１１９      可搬型記録媒体
１２０      ＣＰＵ
１２１      ＲＡＭ
１２２      ＨＤＤ
１２３      通信インタフェース
１２４      グラフィック処理ユニット
１２５      入出力インタフェース
１２６      バス
１３１      ピックアップローラ
１３２      裏面用イメージセンサ
１３３      カード押さえ板
１３４      表面用イメージセンサ
１３５      カード押さえ板
１３６      カード重なり検出センサ
１３７      カード一次保留部
１３８      読取済カードスタッカ
１３９      カード厚み検出センサ
１４０      カード有無検出センサ
２００      管理装置
２１１      制御部
２１２      管理者用ディスプレイ
２１３      管理者用タッチパネル
２１４      可搬型記録媒体
２１５      ＣＰＵ
２１６      ＲＡＭ
２１７      ＨＤＤ
２１８      通信インタフェース
２１９      グラフィック処理ユニット
２２０      入出力インタフェース
２２１      バス
３００      ネットワーク
４１０、４２０  修正画面
４１１、４２１  ボタン
４３０      確認画面
４３１、４３２  ボタン
４４０      表示画面
４４１、４４２  ボタン
１０００    トータリゼータシステム
【図１】
2014048796.tif 000003
【図２】
2014048796.tif 000004
【図３】
2014048796.tif 000005
【図４】
2014048796.tif 000006
【図５】
2014048796.tif 000007
【図６】
2014048796.tif 000008
【図７】
2014048796.tif 000009
【図８Ａ】
2014048796.tif 000010
【図８Ｂ】
2014048796.tif 000011
【図９Ａ】
2014048796.tif 000012
【図９Ｂ】
2014048796.tif 000013
【図１０】
2014048796.tif 000014
【図１１Ａ】
2014048796.tif 000015
【図１１Ｂ】
2014048796.tif 000016
【図１１Ｃ】
2014048796.tif 000017
【図１２】
2014048796.tif 000018
【図１３】
2014048796.tif 000019
【図１４】
2014048796.tif 000020
【図１５Ａ】
2014048796.tif 000021
【図１５Ｂ】
2014048796.tif 000022
【図１６Ａ】
2014048796.tif 000023
【図１６Ｂ】
2014048796.tif 000024
【図１７Ａ】
2014048796.tif 000025
【図１７Ｂ】
2014048796.tif 000026
【図１８】
2014048796.tif 000027